(57)【要約】  無線通信システムにおける装置、方法、およびコンピューター読み取り可能な記憶媒体である。当該装置は処理回路を含み、当該処理回路は、少なくともユーザー機器のアンテナポートの数と、スキャン待ちの送信ビームおよび／または受信ビームの数に基づいて、ユーザー機器に対するサウンディング参照信号(ＳＲＳ)マッピング構造を配置し、ＳＲＳマッピング構造をユーザー機器に通知するように配置されており、その中、ＳＲＳマッピング構造は、少なくとも、上りリンクビーム管理およびチャネル状態情報(ＣＳＩ)取得を同時に実現するためのＳＲＳリソース設置を含み、これにより、システムの時間遅延を低減させるとともに、上りリンクリソース利用率を向上させる。
2020529775.tif 000002
【特許請求の範囲】
【請求項１】
無線通信システムにおける装置であって、前記装置は、処理回路を含み、前記処理回路は、
少なくともユーザー機器のアンテナポートの数と、スキャン待ちの送信ビームおよび／または受信ビームの数とに基づいて、前記ユーザー機器に対するサウンディング参照信号ＳＲＳマッピング構造を配置し、
前記ＳＲＳマッピング構造を前記ユーザー機器に通知する、ように配置されており、
前記ＳＲＳマッピング構造は、少なくとも、上りリンクビーム管理およびチャネル状態情報ＣＳＩ取得を同時に実現するためのＳＲＳリソース設置を含む装置。
【請求項２】
前記処理回路は、さらに、
前記ＳＲＳマッピング構造を配置することにより、前記ＳＲＳリソース設置にＫグループのＳＲＳリソースが含まれ、且つ各グループのＳＲＳリソースがＮ個のポートを有するようにするように配置されており、Ｋはスキャン待ちの送信ビームまたは受信ビームの数に対応する正の整数であり、Ｎは前記ユーザー機器のアンテナポートの数に対応する正の整数である請求項１に記載の装置。
【請求項３】
各グループのＳＲＳリソースは、一つまたは複数のサブバンドＳＲＳリソースを含み、各サブバンドＳＲＳリソースはＮのポートを有する請求項２に記載の装置。
【請求項４】
前記処理回路は、さらに、
送信ビームスキャンおよび受信ビームスキャンを同時に行うＵ１プロセスについて、前記ＳＲＳマッピング構造を配置することにより、各グループのＳＲＳリソースがそれぞれ一つのスキャン待ちの送信ビームに対応するようにして時間領域で送信ビームスキャンを行うことを実現し、且つサンプリング係数がスキャン待ちの受信ビームの数以上であるようにしてＩＦＤＭＡモデルを構築し、周波数領域で受信ビームスキャンを行うことを実現し、ＣＳＩ取得を実現するように配置されている請求項２に記載の装置。
【請求項５】
前記処理回路は、さらに、
受信ビームスキャンのみを行うＵ２プロセスについて、前記ＳＲＳマッピング構造を配置することにより、各グループのＳＲＳリソースが同一の送信ビームに対応するようにして時間領域で受信ビームスキャンを行うことを実現し、サンプリング係数に基づいてＩＦＤＭＡモデルを構築しＣＳＩ取得を実現するように配置されている請求項２に記載の装置。
【請求項６】
前記処理回路は、さらに、前記Ｕ１プロセスまたはＵ２プロセスについて、それぞれ異なるスキャン待ちの受信ビームで前記ユーザー機器からのＳＲＳを受信するように基地局を制御するように配置されている請求項４または５に記載の装置。
【請求項７】
前記処理回路は、さらに、送信ビームスキャンのみを行うＵ３プロセスについて、前記ＳＲＳマッピング構造を配置することにより、各グループのＳＲＳリソースがそれぞれ一つのスキャン待ちの送信ビームに対応するようにして時間領域で送信ビームスキャンを行うことを実現し、且つサンプリング係数に基づいてＩＦＤＭＡモデルを構築しＣＳＩ取得を実現するように配置されている請求項２に記載の装置。
【請求項８】
前記処理回路は、さらに、前記Ｕ３プロセスについて、同一の受信ビームで前記ユーザー機器からのＳＲＳを受信するように基地局を制御するように配置されている請求項７に記載の装置。
【請求項９】
前記処理回路は、さらに、各グループのＳＲＳリソースにおける各サブバンドＳＲＳリソースのポート数、占有するＯＦＤＭシンボルの数、およびサンプリング係数に基づいて、サブバンドＳＲＳ帯域幅を配置するとともに、所定の周波数ホッピング方式と、前記サブバンドＳＲＳ帯域幅とに基づいて、各グループのＳＲＳリソースを時間周波数リソースにマッピングすることで、前記ＳＲＳマッピング構造を配置し、各グループのＳＲＳリソースが上りリンク伝送帯域幅の全体をカバーするようにするように配置されており、前記サブバンドＳＲＳ帯域幅は、各時間周波数リソースブロックによって占有される帯域幅の整数倍である請求項３に記載の装置。
【請求項１０】
前記処理回路は、さらに、また前記ユーザー機器からのサブバンド帯域幅配置要求に応じて前記サブバンドＳＲＳ帯域幅を配置するように配置されている請求項９に記載の装置。
【請求項１１】
各サブバンドＳＲＳリソースが一つのタイムスロット内の一つまたは複数の連続するＯＦＤＭシンボルを占有し、且つ前記一つまたは複数の連続するＯＦＤＭシンボルのそれぞれのＯＦＤＭシンボルが、一つまたは複数のリソースブロックに分布される請求項９に記載の装置。
【請求項１２】
前記所定の周波数ホッピング方式は、連続的なリソースブロック周波数ホッピングおよび／またはクロスリソースブロック周波数ホッピングを含む請求項９に記載の装置。
【請求項１３】
前記所定の周波数ホッピング方式は、タイムスロット内周波数ホッピングおよび／またはタイムスロット間周波数ホッピングを含む請求項９に記載の装置。
【請求項１４】
前記タイムスロット内周波数ホッピングは、各グループのＳＲＳリソース内の各サブバンドＳＲＳリソースを時間領域でｈ個のＯＦＤＭシンボルだけ順次シフトさせることを含み、ｈは、各サブバンドＳＲＳリソースによって占有されるＯＦＤＭシンボルの数に等しい請求項１３に記載の装置。
【請求項１５】
前記処理回路は、さらに、専用シグナリングまたは上りリンクスケジューリンググラントシグナリングにより、前記サブバンドＳＲＳ帯域幅を前記ユーザー機器に通知するように配置されている請求項９に記載の装置。
【請求項１６】
前記専用シグナリングまたは前記上りリンクスケジューリンググラントシグナリングは、前記ＳＲＳマッピング構造の開始リソースブロック番号と終了リソースブロック番号をさらに含む請求項１５に記載の装置。
【請求項１７】
前記専用シグナリングまたは前記上りリンクスケジューリンググラントシグナリングは、前記ＳＲＳマッピング構造の開始リソースブロック番号と上りリンク伝送帯域幅をさらに含む請求項１５に記載の装置。
【請求項１８】
前記処理回路は、さらに、前記ＳＲＳマッピング構造を配置することにより、前記ＳＲＳリソース設置のコームシフト量が０以上且つサンプリング係数未満の整数になるようにするように配置されている請求項２に記載の装置。
【請求項１９】
前記ユーザー機器のコームシフト量は、異なるユーザー機器のコームシフト量と同じまたは異なる請求項１８に記載の装置。
【請求項２０】
前記ＳＲＳマッピング構造は、上りリンク送信ビームスキャンのみを実現するためのＳＲＳリソース設置、上りリンク受信ビームスキャンのみを実現するためのＳＲＳリソース設置、上りリンク送信ビームと受信ビームスキャンのみを実現するためのＳＲＳリソース設置、およびＣＳＩ取得のみを実現するためのＳＲＳリソース設置のうちの一つまたは複数をさらに含む請求項１に記載の装置。
【請求項２１】
前記処理回路は、さらに、ユーザー機器に一つのタイムスロット内の前記ＳＲＳマッピング構造によって占有されるＯＦＤＭシンボルの位置を通知する場合に、前記各ＳＲＳリソース設置の開始ＳＲＳリソースの位置と、占有されるＯＦＤＭシンボルの数とを指示することで通知するように配置されている請求項２０に記載の装置。
【請求項２２】
前記処理回路は、さらに、ビットマップの形式で前記ＳＲＳマッピング構造を通知するように配置されている請求項１に記載の装置。
【請求項２３】
前記処理回路は、さらに、各サブキャリアについて、ＳＲＳリソースに占有されるリソースエレメントを１として表し、ＳＲＳリソースに占有されていないリソースエレメントを０と表すことにより、前記ビットマップを生成するように配置されている請求項２２に記載の装置。
【請求項２４】
前記処理回路は、さらに、前記ＳＲＳマッピング構造によって占有されるＯＦＤＭシンボルと物理ランダムアクセスチャネルＰＲＡＣＨ、物理上りリンク制御チャネルＰＵＣＣＨ、復調参照信号ＤＭＲＳ、および物理上りリンク共有チャネルＰＵＳＣＨのうちの少なくとも一つによって占有されるＯＦＤＭシンボルの多重化に対して配置を行い、配置された多重化に関する指示を前記ユーザー機器に通知するように配置されている請求項１に記載の装置。
【請求項２５】
前記処理回路は、さらに、前記多重化に衝突がある場合に、前記ユーザー機器からのＳＲＳを破棄し、前記破棄を前記ユーザー機器に通知するように配置されている請求項２４に記載の装置。
【請求項２６】
前記処理回路は、さらに、前記ユーザー機器からのＳＲＳの測定結果に基づいて、前記スキャン待ちの送信ビームおよび／または受信ビームから最適な送受信ビームペアを確定し、確定された最適な送受信ビームペアを前記ユーザー機器に通知するように配置されている請求項１に記載の装置。
【請求項２７】
前記処理回路は、さらに、確定された最適な送受信ビームペアに対応する測定結果を、ＣＳＩ取得結果として前記ユーザー機器に通知するように配置されている請求項２６に記載の装置。
【請求項２８】
前記処理回路は、さらに、前記ユーザー機器のアンテナポートの数が所定の閾値を下回る場合に、前記ユーザー機器に前記ＳＲＳマッピング構造を配置するように配置されている請求項１に記載の装置。
【請求項２９】
前記処理回路は、さらに、前記ユーザー機器の上りリンクリソース利用率を周期的にモニタリングし、前記上りリンクリソース利用率が所定の閾値を下回る場合に、前記ユーザー機器に前記ＳＲＳマッピング構造を配置するように配置されている請求項１に記載の装置。
【請求項３０】
前記処理回路は、さらに、前記ユーザー機器からのＳＲＳリソース配置要求に応じて、前記ユーザー機器に前記ＳＲＳマッピング構造を配置するように配置されている請求項１に記載の装置。
【請求項３１】
前記装置は基地局として作動し、前記装置は、通信操作を実行するように配置されている通信ユニットをさらに含む請求項１に記載の装置。
【請求項３２】
無線通信システムにおける装置であって、前記装置は、処理回路を含み、前記処理回路は、さらに、
基地局から通知されたサウンディング参照信号ＳＲＳマッピング構造に基づいて、相応する時間周波数リソース上で前記基地局にＳＲＳを送信するようにユーザー機器を制御するように配置されており、
前記ＳＲＳマッピング構造は、少なくとも、上りリンクビーム管理およびチャネル状態情報ＣＳＩ取得を同時に実現するためのＳＲＳリソース設置を含む装置。
【請求項３３】
前記処理回路は、さらに、送信ビームスキャンおよび受信ビームスキャンを同時に行うＵ１プロセスと、送信ビームスキャンのみを行うＵ３プロセスについて、それぞれ異なるスキャン待ちの送信ビームで前記基地局にＳＲＳを順次に送信するように前記ユーザー機器を制御するように配置されている請求項３２に記載の装置。
【請求項３４】
前記処理回路は、さらに、受信ビームスキャンのみを行うＵ２プロセスについて、同一の送信ビームで前記基地局にＳＲＳを順次に送信するように前記ユーザー機器を制御するように配置されている請求項３２に記載の装置。
【請求項３５】
前記処理回路は、さらに、前記基地局から通知された、前記ＳＲＳマッピング構造によって占有されるＯＦＤＭシンボルと物理ランダムアクセスチャネルＰＲＡＣＨ、物理上りリンク制御チャネルＰＵＣＣＨ、復調参照信号ＤＭＲＳ、物理上りリンク共有チャネルＰＵＳＣＨのうちの少なくとも一つによって占有されるＯＦＤＭシンボルの多重化に関する指示に応じて、多重化により前記基地局にＳＲＳを送信するように前記ユーザー機器を制御するように配置されている請求項３２に記載の装置。
【請求項３６】
前記処理回路は、さらに、前記基地局から前記多重化で伝送されるＳＲＳが破棄された通知を受信した場合に、破棄されたＳＲＳを再伝送するように前記ユーザー機器を制御するように配置されている請求項３５に記載の装置。
【請求項３７】
前記処理回路は、さらに、前記基地局から前記多重化で伝送されるＳＲＳが破棄された通知を受信した場合に、パワーブースティング方式により元に破棄されたＳＲＳに割り当てられた伝送パワーを、前記破棄されたＳＲＳと多重化がある他の信号に割り当てるように配置されている請求項３５に記載の装置。
【請求項３８】
前記処理回路は、さらに、前記ユーザー機器のサブバンド帯域幅配置要求を専用シグナリングまたは上りリンクスケジューリング要求シグナリングに含んで、前記基地局に前記ＳＲＳリソース設置における各グループのＳＲＳリソースのサブバンドＳＲＳリソースのサブバンドＳＲＳ帯域幅を確定させるように配置されている請求項３２に記載の装置。
【請求項３９】
前記処理回路は、さらに、ＳＲＳリソース配置要求を生成して、前記基地局に前記ＳＲＳリソース配置要求に応じて前記ＳＲＳマッピング構造を配置させるように配置されている請求項３２に記載の装置。
【請求項４０】
前記装置は、前記ユーザー機器として作動し、且つ、前記装置は、通信操作を実行するように配置されている通信ユニットをさらに含む請求項３２〜３９のいずれか一項に記載の装置。
【請求項４１】
無線通信システムにおける方法であって、前記方法は、
少なくともユーザー機器のアンテナポートの数と、スキャン待ちの送信ビームおよび／または受信ビームの数とに基づいて、前記ユーザー機器に対するサウンディング参照信号ＳＲＳマッピング構造を配置し、
前記ＳＲＳマッピング構造を前記ユーザー機器に通知することを含み、
前記ＳＲＳマッピング構造は、少なくとも、上りリンクビーム管理およびチャネル状態情報ＣＳＩ取得を同時に実現するためのＳＲＳリソース設置を含む方法。
【請求項４２】
無線通信システムにおける方法であって、前記方法は、
基地局から通知されたサウンディング参照信号ＳＲＳマッピング構造に基づいて、相応する時間周波数リソース上で基地局にＳＲＳを送信するようにユーザー機器を制御することを含み、
前記ＳＲＳマッピング構造は、少なくとも、上りリンクビーム管理およびチャネル状態情報ＣＳＩ取得を同時に実現するためのＳＲＳリソース設置を含む方法。
【請求項４３】
実行可能命令を格納するコンピューター読み取り可能な記憶媒体であって、前記実行可能命令がコンピューターによって実行される場合に、前記コンピューターに請求項４１または４２に記載の方法を実行させる記憶媒体。
【発明の詳細な説明】
【技術分野】
【０００１】
本願は、２０１７年０８月０９日に中国専利局に提出した、出願番号が２０１７１０６７６１８４.７であって、発明の名称が「無線通信システムにおける装置と方法、コンピューター読み取り可能な記憶媒体」である中国特許出願の優先権を主張し、本願で、その全ての内容を援用するものとする。
【０００２】
本開示は、一般的に、無線通信技術分野に関し、より具体的に、新規無線アクセス技術-マルチ入力・マルチ出力(ＮＲ  ＭＩＭＯ)の背景におけるサウンディング参照信号(ＳＲＳ)マッピング構造の設計および実現に関する。
【背景技術】
【０００３】
ＮＲ  ＭＩＭＯにおいて、ＳＲＳは、上りリンクビーム管理機能とチャネル状態情報(ＣＳＩ)取得機能との二つの機能を実現する必要がある。現在、上記の二つの機能をそれぞれ実現するために、機能が独立したＳＲＳマッピング構造を設計することが提案された。しかし、このような独立したＳＲＳマッピング構造には、システムの時間遅延が大きく且つ上りリンクリソースの利用率が低い欠点があり、システムの時間遅延に敏感で上りリンクリソースが不足する応用シナリオについて、既存のＳＲＳマッピング構造はその通信ニーズを満たすことができない。
【発明の概要】
【０００４】
以下では、本開示に関する簡単な概説を説明して、本開示のある局面に関する基本的理解を提供する。この概説が本開示に関する取り尽くし的概説ではないと理解すべきである。それは、本開示の肝心又は重要部分を意図的に特定するものではなく、本開示の範囲を意図的に限定するものでもない。その目的は、簡素化の形式で、本開示のある概念を提供して、後に論述するより詳しい記載の前述とするものである。
【０００５】
以上のような問題に鑑み、本開示の少なくとも一局面の目的は、上りリンクビーム管理およびＣＳＩ取得を同時に実現できるＳＲＳマッピング構造を配置するための無線通信システムにおける装置と方法、およびコンピューター読み取り可能な記憶媒体を提供することであり、システムの時間遅延を短縮し、上りリンクリソース利用率を向上する。
【０００６】
本開示の一局面によれば、無線通信システムにおける装置を提供し、当該装置は処理回路を含み、当該処理回路は、少なくともユーザー機器のアンテナポートの数と、スキャン待ちの送信ビームおよび／または受信ビームの数とに基づいて、ユーザー機器に対するサウンディング参照信号ＳＲＳマッピング構造を配置し、ＳＲＳマッピング構造をユーザー機器に通知する、ように配置されており、ＳＲＳマッピング構造は、少なくとも、上りリンクビーム管理およびチャネル状態情報ＣＳＩ取得を同時に実現するためのＳＲＳリソース設置を含む。
【０００７】
本開示の他の局面によれば、無線通信システムにおける装置をさらに提供し、当該装置は処理回路を含み、当該処理回路は、さらに、基地局から通知されたサウンディング参照信号ＳＲＳマッピング構造に応じて、相応する時間周波数リソース上で基地局にＳＲＳを送信するようにユーザー機器を制御するように配置されており、当該ＳＲＳマッピング構造は、少なくとも、上りリンクビーム管理およびチャネル状態情報ＣＳＩ取得を同時に実現するためのＳＲＳリソース設置を含む。
【０００８】
本開示の他の局面によれば、さらに、無線通信システムにおける方法を提供し、当該方法は、少なくともユーザー機器のアンテナポートの数と、スキャン待ちの送信ビームおよび／または受信ビームの数とに基づいて、ユーザー機器に対するサウンディング参照信号ＳＲＳマッピング構造を配置し、ＳＲＳマッピング構造をユーザー機器に通知することを含み、当該ＳＲＳマッピング構造は、少なくとも、上りリンクビーム管理およびチャネル状態情報ＣＳＩ取得を同時に実現するためのＳＲＳリソース設置を含む。
【０００９】
本開示の他の局面によれば、さらに、無線通信システムにおける方法を提供し、当該方法は、基地局から通知されたサウンディング参照信号ＳＲＳマッピング構造に応じて、相応する時間周波数リソース上で基地局にＳＲＳを送信するようにユーザー機器を制御することを含み、当該ＳＲＳマッピング構造は、少なくとも、上りリンクビーム管理およびチャネル状態情報ＣＳＩ取得を同時に実現するためのＳＲＳリソース設置を含む。
【００１０】
本開示の他の局面によれば、さらに、実行可能命令を格納するコンピューター読み取り可能な記憶媒体を提供し、当該実行可能命令がコンピューターによって実行される場合に、コンピューターに上記無線通信システムにおける方法を実行させる。
【００１１】
本開示の他の局面によれば、さらに、上記した本開示による方法を実現するためのコンピュータープログラムコードとコンピュータープログラム製品を提供する。
【００１２】
本開示の実施例によれば、ユーザー機器に上りリンクビーム管理およびＣＳＩ取得を同時に実現するためのＳＲＳマッピング構造を配置することにより、上りリンクビーム管理およびＣＳＩ取得をそれぞれ実現する独立したＳＲＳマッピング構造に比べて、システムの時間遅延を低減させるとともに、上りリンク伝送速率および上りリンクリソース利用率を向上させることができる。
【００１３】
以下の明細書では本開示の実施例の他の方面を提供し、その中、本開示の実施例を十分に開示するための好適な実施例を詳細に説明し、それは限定されるものではない。
【図面の簡単な説明】
【００１４】
本開示は、以下に図面と合わせて記載された詳細な説明を参照することによりよく理解できる。なお、全ての図面において、同一又は類似の部品を同一又は類似の符号で示している。前記図面は以下の詳細説明と共に本明細書に含まれ本明細書の一部として構成されており、更に例を挙げることにより本開示の好適な実施例を説明し、本開示の原理とメリットを解釈する。
【００１５】
【図１】本開示の実施例による無線通信システムにおける基地局側の装置の機能的構成例を示すブロック図である。
【図２】本開示の実施例によるＳＲＳマッピング構造の構成例を示す模式図である。
【図３】本開示の実施例による異なるパラメーター配置を有するＳＲＳマッピング構造の例を示す模式図である。
【図４】本開示の実施例による周波数ホッピング方式の例を示す模式図である。
【図５】本開示の実施例による異なるＳＲＳリソース設置を含むＳＲＳマッピング構造の例を示す模式図である。
【図６】本開示の実施例による無線通信システムにおけるユーザー機器側の装置の機能的構成例を示すブロック図である。
【図７Ａ】本開示の実施例による無線通信システムにおけるシグナリングインタラクションプロセスの第１の例を示すフローチャートである。
【図７Ｂ】本開示の実施例による無線通信システムにおけるシグナリングインタラクションプロセスの第２の例を示すフローチャートである。
【図８】本開示の実施例による無線通信システムにおける基地局側の方法のプロセスの例を示すフローチャートである。
【図９】本開示の実施例による無線通信システムにおけるユーザー機器側の方法のプロセスの例を示すフローチャートである。
【図１０】本開示の実施例で採用可能な情報処理装置としてのパーソナルコンピュータの例示的な構成を示すブロック図である。
【図１１】本開示の技術を応用できるｅＮＢの例示的な構成の第１の例を示すブロック図である。
【図１２】本開示の技術を応用できるｅＮＢの例示的な構成の第２の例を示すブロック図である。
【図１３】本開示の技術を応用できるスマートフォンの例示的な構成の例を示すブロック図である。
【図１４】本開示の技術を応用できるカーナビゲーションデバイスの例示的な構成の例を示すブロック図である。
【発明を実施するための形態】
【００１６】
以下、図面と合わせて本発明の例示的な実施例を説明する。明らか及び簡潔にするために、明細書には、実際の実施形態の全ての特徴は記載されていない。但し、このような実際の実施例を開発する場合、開発者の具体的な目標を実現するために、実施形態に限られる決定をしなければならず、例えば、システム及サービスに関わる制限条件を決めなければならず、且つこれらの制限条件は実施形態によって変化する可能性もある。また、開発は非常に複雑で時間がかかるが、本発明の内容から利益を得る当業者にとって、このような開発は日常の仕事に過ぎない。
【００１７】
ここで、さらに説明する必要がある点は、不必要な内容によって本開示をぼかすことを避けるために、図面において、本発明の方案に緊密に関する装置構成及び／又は処理ステップのみを示し、本発明に関係がない他の内容を省略した。
【００１８】
以下、図１ないし図１４を参照して本開示の実施例について説明する。以下では、以下の順序に従って説明する。
１.本開示の実施例による基地局側の構成例
１-１．本開示の実施例によるＳＲＳマッピング構造の構成例の概要
１-２．本開示の実施例によるＳＲＳマッピング構造のパラメーター配置と通知
１-２-１．ＳＲＳリソースのポートマッピング
１-２-２．サブバンドＳＲＳ帯域幅
１-２-３．サンプリング係数とコームシフト量
１-２-４．サブバンドＳＲＳの周波数ホッピング方式
１-２-５．他のＳＲＳリソース設置
１-２-６．ＳＲＳマッピング構造の通知
２．本開示の実施例によるユーザー機器側の構成例
３．本開示の実施例によるシグナリング設計とインタラクション
４．本開示の実施例による無線通信システムにおける方法
４-１．基地局側の方法
４-２．ユーザー機器側の方法
５．本開示の装置と方法を実施するための実施例の算出装置
６．本開示の技術的な応用例
６-１．基地局についての応用例
６-２．ユーザー機器についての応用例
【００１９】
[１．本開示の実施例による基地局側の構成例]
(１-１．本開示の実施例によるＳＲＳマッピング構造の構成例の概要)
図１は、本開示の実施例による無線通信システムにおける基地局側の装置機能の構成例を示すブロック図である。
【００２０】
図１に示すように、当該実施例による装置１００は、配置ユニット１０２と、通知ユニット１０４とを含むことができる。
【００２１】
配置ユニット１０２は、少なくともユーザー機器のアンテナポートの数と、スキャン待ちの送信ビームおよび／または受信ビームの数とに基づいて、当該ユーザー機器についての、少なくとも上りリンクビーム管理およびＣＳＩ取得を同時に実現するためのＳＲＳリソース設置を含むＳＲＳマッピング構造を配置するように配置できる。
【００２２】
通知ユニット１０４は、配置されたＳＲＳマッピング構造をユーザー機器に通知するように配置できる。
【００２３】
ビーム管理機能について、周波数領域中の各物理リソースブロック(ＰＲＢ)の空間パラメーターは類似するからブロードバンド測定は不要であり、従って、測定の公平性を考慮するために、当該機能に必要なＳＲＳは同一のサブキャリアにマッチングされるのにより適する。一方、ＣＳＩ取得機能について、正確なＣＳＩを取得するために伝送帯域幅の全体をカバーする必要があり、そして、ユーザー伝送パワーの制限によって、複数のサブバンドＳＲＳおよび周波数ホッピング技術を利用してブロードバンド測定を実現することが可能である。
【００２４】
これに基づいて、好ましくは、配置ユニット１０２は、さらに、上記ＳＲＳリソース設置にＫグループのＳＲＳリソースを含み、且つ各グループのＳＲＳリソースがＮ個のポートを有するように、ＳＲＳマッピング構造を配置するように配置されており、その中、Ｋはスキャン待ちの送信ビームまたは受信ビームの数に対応する正の整数であり、且つＮはユーザー機器のアンテナポートの数に対応する正の整数である。
【００２５】
好ましくは、各グループのＳＲＳリソースは一つまたは複数のサブバンドＳＲＳリソースを含み、且つ、各サブバンドＳＲＳリソースはＮ個のポートを有する。
【００２６】
ＮＲ  ＭＩＭＯにおける下りリンクビーム管理プロセスに対応して、ＮＲ  ＭＩＭＯにおける上りリンクビーム管理は、上りリンク送信ビームスキャンおよび受信ビームスキャンを同時に行うことをサポートするプロセスであるＵ１プロセスと、上りリンク受信ビームスキャンを行うことのみをサポートするプロセスであるＵ２プロセスと、上りリンク送信ビームスキャンを行うことのみをサポートするプロセスであるＵ３プロセスとの三つのプロセスを含む。以下、図２と合わせて、各々のプロセスについてのＳＲＳマッピング構造の構成例を詳細に説明する。
【００２７】
図２は、本開示の実施例によるＳＲＳマッピング構造の構成例を示す模式図である。図２の(ａ)は、Ｕ１プロセスおよびＣＳＩ取得を同時に実現できるＳＲＳマッピング構造の例を示す模式図であり、図２の(ｂ)は、Ｕ２プロセスおよびＣＳＩ取得を同時に実現できるＳＲＳマッピング構造の例を示す模式図であり、図２の(ｃ)は、Ｕ３プロセスおよびＣＳＩ取得を同時に実現できるＳＲＳマッピング構造の例を示す模式図である。
【００２８】
好適な例として、配置ユニット１０２は、さらに、送信ビームスキャンおよび受信ビームスキャンを同時に行うＵ１プロセスについて、ＳＲＳマッピング構造を配置し、各グループのＳＲＳリソースのそれぞれが一つのスキャン待ちの送信ビームに対応するようにし、時間領域で送信ビームスキャンを行うことを実現し且つサンプリング係数がスキャン待ちの受信ビームの数以上であるようにしＩＦＤＭＡモデルを構成し、周波数領域で受信ビームスキャンを行うことを実現し、ＣＳＩ取得を実現するように配置されてもよい。
【００２９】
図２の(ａ)は、Ｕ１プロセスおよびＣＳＩ取得に用いられるＳＲＳマッピング構造の例を示す。図に示すように、水平方向が時間領域を示し、垂直方向が周波数領域を示し、当該ＳＲＳマッピング構造は、合計６グループのＳＲＳリソースを含み(六つのスキャン待ちの送信ビームに対応する)、各グループのＳＲＳリソースが占有するリソースエレメント(ＲＥ)は、異なるグループのＳＲＳリソースを区別するために、それぞれ異なるパターンで満たされる。一つのＲＥを表す格子の中に示されている数字はポート番号を示し、以下の説明でも同様である。各グループのＳＲＳリソースはそれぞれ一つのスキャン待ちの送信ビームに対応することで、時間領域で六つの送信ビームのスキャンを実現できる。サンプリング係数(ＳＦ)は３であり(スキャン待ちの受信ビームの数に対応し(以上である))、当該サンプリング係数に基づいてＩＦＤＭＡ(インタリーブド周波数分割多元接続)モデルを構成し、これにより、周波数領域で三つの受信ビームのスキャンを実現することができる。ここのＩＦＤＭＡモデルとは、ＳＲＳ信号を周波数領域で等間隔に同一のＯＦＤＭシンボル内のアイドルＲＥに割り当てることを指す。図２に示すように、ハッチングを施したＲＥはこれらのＲＥがＩＦＤＭＡモデルの構成に使用されることを示す。このように、図２の(ａ)中のブロックに示すように、各ビームスキャンブロックは６送信ビーム*３受信ビームのスキャンを実現することができる。
【００３０】
ＣＳＩ取得機能について、各グループのＳＲＳリソースは、四つのＳＲＳポートを含み(０、１、２、３、それぞれがユーザー機器のアンテナポートに対応する)、ＣＳＩ取得を実現するためのＣＳＩ取得モジュールを構築し、図２の最も右側に一つのＣＳＩ取得モジュールの例を示している。このように、図２の(ａ)に示す例において、各グループのＳＲＳリソースは六つのＣＳＩ取得モジュールを含み、この六つのＣＳＩ取得モジュールは、全部の上りリンク伝送帯域幅をカバーするように、所定の周波数ホッピング方式に従って周波数ホッピングを行い(例えば、図に示すように、時間領域で右へ順次シフトしながら、連続的なリソースブロック(ＲＢ)周波数ホッピングを行う)ことにより、比較的に正確なＣＳＩ取得結果を得ることができる。
【００３１】
ＣＳＩ取得モジュールが右へサイクリックシフトする周波数ホッピング方式でＣＳＩ取得を行うことをよりよく説明するために、図２において太い実線の枠で第１のグループのＳＲＳリソースに属するＣＳＩ取得モジュールの全部を囲む。各ＣＳＩ取得モジュールは１グループのＳＲＳリソースの一部の帯域幅のみを占有するので、このようなＣＳＩ取得モジュールは、以下ではサブバンドＳＲＳリソースとも呼ばれ、そして、各ＣＳＩ取得モジュールの長さはサブバンドＳＲＳ帯域幅と呼ばれる。また、図２に示されていないが、第２〜第６のグループのＳＲＳリソースにおける各サブバンドＳＲＳリソースについては、同じ周波数ホッピング方式でそれを時間周波数リソースにマッピングすることを理解されたい。
【００３２】
他の好適な例として、配置ユニット１０２は、さらに、受信ビームスキャンのみを行うＵ２プロセスについて、ＳＲＳマッピング構造を配置することにより、各グループのＳＲＳリソースが同一の送信ビームに対応するようにして時間領域で受信ビームスキャンを行うことを実現し、サンプリング係数に応じてＩＦＤＭＡモデルを構成してＣＳＩ取得を実現するように配置されてもよい。
【００３３】
図２の(ｂ)は、Ｕ２プロセスおよびＣＳＩ取得に用いられるＳＲＳマッピング構造の例示的な配置を示している。図２の(ｂ)に示すＳＲＳマッピング構造において、各グループのＳＲＳリソースは、各グループのＳＲＳリソースが同一の送信ビームに対応することを示すために、同じパターンで満たされる。即ち、ユーザー機器が毎回同一の送信ビームで基地局にＳＲＳを送信するように配置することにより、時間領域で六つの受信ビームのスキャンを実現することができる。ＣＳＩ取得機能について、図２の(ｂ)に示す例において受信ビームスキャンのみを実行すればよいため、サンプリング係数３で構成されたＩＦＤＭＡモデルはＣＳＩ取得の実現のみに使用され、これは、正確なＣＳＩ結果を取得するために、比較的に密集なＳＲＳが必要になるからである。
【００３４】
他の好適な例として、配置ユニット１０２は、さらに、送信ビームスキャンのみを行うＵ３プロセスについて、ＳＲＳマッピング構造を配置することにより、各グループのＳＲＳリソースが一つのスキャン待ちの送信ビームに対応するようにして時間領域で送信ビームスキャンを行うことを実現し、サンプリング係数に応じてＩＦＤＭＡモデルを構成してＣＳＩ取得を実現するように配置されてもよい。
【００３５】
図２の(ｃ)は、Ｕ３プロセスおよびＣＳＩ取得に用いられるＳＲＳマッピング構造の例示的な配置を示している。パターンのみから見て、図２の(ｃ)に示すＳＲＳマッピング構造は図２の(ａ)と(ｂ)に示すＳＲＳマッピング構造とほぼ同じであり、相違点は、ビーム管理機能から見て、図２の(ｃ)に示すＳＲＳマッピング構造において、各グループのＳＲＳリソースがそれぞれ異なるスキャン待ちの送信ビームに対応し、基地局側は毎回同一の受信ビームでユーザー機器からの異なる送信ビームのＳＲＳを受信するので、時間領域で六つの送信ビームのスキャンを実現できる。ＣＳＩ取得機能について、図２の(ｃ)に示する例において送信ビームスキャンのみを実行すればよいため、サンプリング係数３で構成されるＩＦＤＭＡモデルは、ＣＳＩ取得の実現のみに使用され(これは正確なＣＳＩ結果を取得するために、比較的に密集なＳＲＳが必要になるからである)、図２の(ａ)に示すように同時に周波数領域で受信ビームスキャンを行う必要がない。
【００３６】
なお、ユーザー機器が毎回同一の送信ビームまたは異なる送信ビームで送信されるＳＲＳの内容  (即ち、各グループのＳＲＳリソースに対応するＳＲＳ内容)は同じであってもよく異なってもよく、本開示はこれを制限しない。
【００３７】
図２に示すＳＲＳマッピング構造によれば、ビーム管理機能について、構造(ａ)はユーザー機器側の六つの送信ビームおよび基地局側の三つの受信ビームのスキャンプロセスを実現し、構造(ｂ)は、基地局側の六つの受信ビームのスキャンプロセスを実現し、そして構造(ｃ)は、ユーザー機器側の六つの送信ビームのスキャンプロセスを実現し、ＣＳＩ取得機能について、構造(ａ)は、六つの送信ビームおよび三つの受信ビームが互いに組み合わされた１８グループのＣＳＩ取得結果を取得し、構造(ｂ)は六つの受信ビームに対応する６グループのＣＳＩ取得結果を取得し、そして構造(ｃ)は、六つの送信ビームに対応する６グループのＣＳＩ取得結果を取得する。
【００３８】
再び図１を参照して、装置１００は、確定ユニット１０６をさらに含むことができる(選択的に、破線の枠で示される)。確定ユニット１０６は、ユーザー機器からのＳＲＳの測定結果に応じて、スキャン待ちの送信ビームおよび／または受信ビームから最適な送受信ビームペアを確定し、確定された最適な送受信ビームペアに対応する測定結果をＣＳＩ取得結果として確定するように配置できる。
【００３９】
次に、通知ユニット１０４により確定された最適な送受信ビームペアおよびＣＳＩ取得結果をユーザー機器に通知することができる。このようにすれば、図２に示すＳＲＳマッピング構造によれば、ビーム管理機能およびＣＳＩ取得機能を同時に実現し、システムの時間遅延を低減させ、上りリンクリソース利用效率を向上させる。
【００４０】
また、好ましくは、装置１００は、制御ユニット１０８をさらに含むことができる(選択的に、破線の枠で示される)。制御ユニット１０８は、Ｕ１プロセスまたはＵ２プロセスについて、基地局がそれぞれ異なるスキャン待ちの受信ビームでユーザー機器からのＳＲＳを受信するように制御して、受信ビームスキャンを実現し、Ｕ３プロセスについて、基地局が同一の受信ビームでユーザー機器からのＳＲＳを受信するように制御して、送信ビームスキャンを実現するように配置できる。
【００４１】
(１-２．本開示の実施例によるＳＲＳマッピング構造のパラメーター配置と通知)
ここで、図２において、例として、異なる上りリンクビーム管理プロセスについて、上りリンクビーム管理およびＣＳＩ取得機能を同時に実現するためのＳＲＳマッピング構造を示したが、これは例であり、制限ではなく、そして、当業者は本開示の原理に応じて、実際の状況と合わせて上記ＳＲＳマッピング構造を適切に修正することができる。例えば、ユーザー機器のアンテナポートの数の違い、ポートマッピング方案の違い、サブバンドＳＲＳ帯域幅の違い、ＳＲＳによって占有されるＯＦＤＭシンボル位置の違い、周波数ホッピング方式の違い、コームシフト量の違い、および上記した上りリンクビーム管理およびＣＳＩ取得を同時に実現するためのＳＲＳリソース設置を除く他のＳＲＳリソース設置の配置などの要因により、実際に配置されるＳＲＳマッピング構造を多少に異ならせる。言い換えれば、ＳＲＳマッピング構造において、少なくとも以上で示されるこれらの要因は配置可能である。以下では、図面と合わせてＳＲＳマッピング構造の基本的なパラメーターの配置を詳細に説明する。
【００４２】
(１-２-１．ＳＲＳリソースのポートマッピング)
ＮＲ  ＭＩＭＯにおいて、ユーザー機器のアンテナポートの数は１、２、４、８、１２などの整数であってもよく、それに対応するように、上記各グループのＳＲＳリソースのポートの数は１、２、４、８、或いは１２などの整数であってもよい。各Ｎ(Ｎ＝１、２、４、８、１２など)ポートのＳＲＳリソースにおける各サブバンドＳＲＳについては、一つのタイムスロット内の一つまたは複数の連続するＯＦＤＭシンボルを占有でき(占有されるＯＦＤＭシンボルの数は例えばＦと表されてもよく、Ｆは１〜１３の任意の整数である)、この一つまたは複数の連続するＯＦＤＭシンボルのそれぞれは一つまたは複数の連続するＲＢに分散されてもよい(即ち、ＲＢクロスして配置されてもよい)。
【００４３】
(１-２-２．サブバンドＳＲＳ帯域幅)
再び図１を参照して、配置ユニット１０２は、各グループのＳＲＳリソースのポートの数、各グループのＳＲＳリソースにおける各サブバンドＳＲＳリソースに占有されるＯＦＤＭシンボルの数、およびサンプリング係数に応じて、サブバンドＳＲＳ帯域幅を配置するとともに、所定の周波数ホッピング方式およびサブバンドＳＲＳ帯域幅に応じて、各グループのＳＲＳリソースを時間周波数リソースにマッピングすることにより、ＳＲＳマッピング構造を配置し、各グループのＳＲＳリソースが上りリンク伝送帯域幅の全部をカバーするようにしてもよく、サブバンドＳＲＳ帯域幅は各リソースブロック(ＲＢ)によって占有される帯域幅の整数倍である。例えば、例として、以下の公式に従ってサブバンドＳＲＳ帯域幅Ｗsubbandを算出する。
【００４４】
【数１】
2020529775.tif 000003
【００４５】
その中、ｎは任意の正の整数であり、Ｎは各グループのＳＲＳリソースのポートの数を示し、ＳＦはサンプリング係数を示し、そして、Ｆは各サブバンドＳＲＳリソースに占有されるＯＦＤＭシンボルの数を示す。Ｗsubbandの単位はＲＢであり、即ち、サブバンドＳＲＳ帯域幅Ｗsubbandは各ＲＢに占有される帯域幅の整数倍である。
【００４６】
好ましくは、ユーザー機器は、自分の通信ニーズに応じて基地局にサブバンド帯域幅配置要求を送信してもよく、当該サブバンド帯域幅配置要求は専用シグナリング(例えば、ＳＲＳ_Ｓｕｂｂａｎｄ_Ｒｅｑｕｅｓｔ)または上りリンクスケジューリング要求シグナリング(Ｓｃｈｅｄｕｌｉｎｇ  Ｒｅｑｕｅｓｔ，ＳＲ)に含まれてもよく、基地局に対してユーザー機器が配置したいサブバンドＳＲＳ帯域幅を明示的又は暗黙的に指示し、これにより、基地局側の装置１００における配置ユニット１０２は、さらにユーザー機器からのサブバンド帯域幅配置要求に応じてサブバンドＳＲＳ帯域幅を配置し、即ち、以上の式における変数ｎの値を合理的に設置することが可能である。
【００４７】
そして、通知ユニット１０４は、専用シグナリング(例えば、上記専用シグナリングＳＲＳ_Ｓｕｂｂａｎｄ_Ｒｅｑｕｅｓｔに対応するＢＳ_ＳＲＳ_Ｓｕｂｂａｎｄ_Ｒｅｓｐｏｎｓｅ)または上りリンクスケジューリンググラントシグナリング(ＵＬ  ｇｒａｎｔ)を利用することで、配置されたサブバンドＳＲＳ帯域幅をユーザー機器に明示的又は暗黙的に通知してもよい。
【００４８】
好ましくは、上記専用シグナリングまたは上りリンクスケジューリンググラントシグナリングには、配置されるＳＲＳマッピング構造におけるＳＲＳリソース設置の開始ＲＢ番号と終了ＲＢ番号とがさらに含まれてもよい。代わりに、上記専用シグナリングまたは上りリンクスケジューリンググラントシグナリングには、配置されるＳＲＳマッピング構造におけるＳＲＳリソース設置の開始ＲＢ番号と上りリンク伝送帯域幅とが含まれてもよい。このように、通知されたサブバンドＳＲＳ帯域幅、および周波数ホッピング方式と合わせて、各サブバンドＳＲＳの位置を確定することができる。
【００４９】
代わりに、上記した明示的方式と暗黙的方式を組み合わせた方式によりユーザー機器に配置されたサブバンドＳＲＳ帯域幅、開始ＲＢ番号、終了ＲＢ番号、上りリンク伝送帯域幅などを通知してもよい。
【００５０】
(１-２-３．サンプリング係数とコームシフト量)
サンプリング係数ＳＦは、スキャン待ちの受信ビームの数に応じて設置されてもよく、例えば、ＳＦはスキャン待ちの受信ビームの数以上の正の整数であり、ＩＦＤＭＡモデルを構成し、周波数領域で受信ビームスキャンを実現する。一方、Ｕ２プロセスおよびＵ３プロセスにおいて、周波数領域で受信ビームスキャンを行う必要がないが、サンプリング係数ＳＦを設置することで、設計されたＳＲＳマッピング構造がより普遍的な適用性を有するようにすることもできる。
【００５１】
コームシフト量ｃｏｍｂ  ｏｆｆｓｅｔは、０以上且つサンプリング係数ＳＦ未満の整数に設置されてもよい。基地局は、異なるユーザー機器に同じまたは異なるコームシフト量を配置することができ、そして、異なるコームシフト量を配置することで、ユーザー機器間の干渉を減少することができる。
【００５２】
図３は、本開示の実施例による異なるパラメーター配置を有するＳＲＳマッピング構造の例を示す模式図である。
【００５３】
図３に示す例において、各グループのＳＲＳリソースが八つのポートを有することを例に、異なるパラメーター配置を有するＳＲＳマッピング構造の例を示している。
【００５４】
図３の(ａ)に示すＳＲＳマッピング構造には、６グループのＳＲＳリソースがあり、各グループのＳＲＳリソースは八つのポートを含み且つ二つのＲＢを跨ぐ一つのＯＦＤＭシンボル(即ち、Ｆ＝１)を占有し、サンプリング係数ＳＦ＝３、コームシフト量ｃｏｍｂ  ｏｆｆｓｅｔ＝０である。上記算式に従って、図３の(ａ)に示す例において、サブバンドＳＲＳ帯域幅は２ＲＢの整数倍であってもよく、そして、図３の(ａ)はサブバンドＳＲＳ帯域幅が２ＲＢであるＳＲＳマッピング構造の例を示している。
【００５５】
図３の(ｂ)に示すＳＲＳマッピング構造において、３グループのＳＲＳリソースがあり、各グループのＳＲＳリソースは八つのポートを含み一つのＲＢ内の二つのＯＦＤＭシンボルを占有し(即ち、Ｆ＝２)、サンプリング係数ＳＦ＝３、コームシフト量ｃｏｍｂ  ｏｆｆｓｅｔ＝０である。上記算式に従って、図３の(ｂ)に示す例において、サブバンドＳＲＳ帯域幅は１ＲＢの整数倍であってもよく、そして、図３の(ｂ)は、サブバンドＳＲＳ帯域幅が１ＲＢであるＳＲＳマッピング構造の例を示している。
【００５６】
図３の(ｃ)に示すＳＲＳマッピング構造は、図３の(ｂ)に示すＳＲＳマッピング構造とほぼ同じであり、相違点は、図３の(ｃ)に示す例において、コームシフト量ｃｏｍｂ  ｏｆｆｓｅｔ＝２であり、図３の(ｂ)に示す例(ＳＲＳマッピング構造が占有する開始サブキャリアの番号は０である)に比べて、図３の(ｃ)に示すＳＲＳマッピング構造が占有する開始サブキャリアの番号は２である。このように、ユーザー機器の間のＳＲＳの送信による相互干渉を減少するのに有利である。
【００５７】
図３の(ｄ)に示す例において、３グループのＳＲＳリソースがあり、各グループのＳＲＳリソースは八つのポートを含み且つ二つのＲＢを跨ぐ二つのＯＦＤＭシンボルを占有し(即ち、Ｆ＝２)，サンプリング係数ＳＦ＝６、コームシフト量ｃｏｍｂ  ｏｆｆｓｅｔ＝５である。上記算式に従って、図３の(ｄ)に示す例において、サブバンドＳＲＳ帯域幅は２ＲＢの整数倍であってもよく、そして、図３の(ｄ)はサブバンドＳＲＳ帯域幅が２ＲＢであるＳＲＳマッピング構造の例を示している。
【００５８】
ここで、図３の(ｂ)〜(ｄ)に示す例において、直交交差分極アンテナを形成するために、ポートマッピングを行う場合に、好ましくは、各アンテナポートが適切な方式でずれるようにする。例えば、アンテナポートが(０,１)、(２,３)、(４,５)、(６,７)の順に配置される代わりに、アンテナポートが(０,１)、(４,５)、(２,３)、(６,７)の順に配置されるようにする。もちろん、このようなポートマッピング方式は例であり、制限ではなく、当業者は実際の応用シナリオに応じて適切に調整してもよい。
【００５９】
また、図３は、例として異なるパラメーター配置を有する可能なＳＲＳマッピング構造の構成例を示したが、当業者は実際の応用シナリオおよび本開示の原理に応じて適切なＳＲＳマッピング構造を設計し、このような設計されたＳＲＳマッピング構造は上りリンクビーム管理およびＣＳＩの取得を同時に実現すればよい。
【００６０】
(１-２-４．サブバンドＳＲＳの周波数ホッピング方式)
好ましくは、サブバンドＳＲＳの周波数ホッピング方式は、連続的なＲＢ周波数ホッピングおよびクロスＲＢ周波数ホッピングをサポートし、また、タイムスロット内周波数ホッピングおよびタイムスロット間周波数ホッピングをサポートする。例えば、図２に示す右へサイクリックシフトする周波数ホッピング方式はタイムスロット内の連続的なＲＢ周波数ホッピングであり、即ち、各グループのＳＲＳリソースのサブバンドＳＲＳが全部同一のタイムスロット内に分布され、且つ各周波数ホッピングは隣接するＲＢの間で行われる。
【００６１】
より一般的に、タイムスロット内周波数ホッピングについては、ｈ-ＯＦＤＭシンボルレベルでの周波数ホッピングをサポートでき、なお、ｈは各グループのＮポートのＳＲＳリソースにおけるサブバンドＳＲＳによって占有されたＯＦＤＭシンボルの数に等しく、即ち、ｈ＝Ｆである。また、図２に示す周波数ホッピング方式を例に、それは１-ＯＦＤＭシンボルレベルでの周波数ホッピングである。
【００６２】
本開示の技術にサポートされる様々な周波数ホッピング方式をより明確に理解するために、以下、図４を参照して詳細に説明する。図４は、本開示の実施例による周波数ホッピング方式の例を示す模式図である。
【００６３】
図４の(ａ)は、タイムスロット内周波数ホッピングの例を示している。図４の(ａ)に示すように、一番目のサブバンドＳＲＳ〜二番目のサブバンドＳＲＳは四つのＲＢをクロスし、二番目のサブバンドＳＲＳ〜三番目のサブバンドＳＲＳは三つのＲＢをクロスし、三番目のサブバンドＳＲＳ〜四番目のサブバンドＳＲＳは二つのＲＢをクロスし、四番目のサブバンドＳＲＳ〜五番目のサブバンドＳＲＳは一つのＲＢをクロスし、五番目のサブバンドＳＲＳ〜六番目のサブバンドＳＲＳは連続的なＲＢ周波数ホッピングである。
【００６４】
図４の(ｂ)は、タイムスロット内周波数ホッピングとタイムスロット間周波数ホッピングとの混合の例を示している。明確にするために、図４の(ｂ)に、第１のグループのＳＲＳリソース(太い実線の枠で囲まれる)についての周波数ホッピング方式の例のみを示し、第２〜第６のグループのＳＲＳリソースの周波数ホッピング方式は第１のグループのＳＲＳリソースと同じである。図４の(ｂ)に示すように、一番目のサブバンドＳＲＳ〜二番目サブバンドＳＲＳ、二番目サブバンドＳＲＳ〜三番目のサブバンドＳＲＳ、三番目のサブバンドＳＲＳ〜四番目のサブバンドＳＲＳはタイムスロット間周波数ホッピングであり、四番目のサブバンドＳＲＳ〜五番目のサブバンドＳＲＳ、五番目のサブバンドＳＲＳ〜六番目のサブバンドＳＲＳはタイムスロット内周波数ホッピングである。
【００６５】
なお、図４において例として連続的なＲＢ周波数ホッピングとクロスＲＢ周波数ホッピング、およびタイムスロット内周波数ホッピングとタイムスロット間周波数ホッピングを含む異なる周波数ホッピング方式をそれぞれ示したが、これは例であり、制限ではなく、本開示は、具体的な周波数ホッピング方式に制限をかけない。当業者は、本開示の原理に応じて、実際の応用と合わせて様々な周波数ホッピングパターンを設計することができる。例えば、図４の(ａ)に示すＳＲＳマッピング構造について、すべての周波数ホッピングパターンを網羅し、A66=1*2*3*4*5*6=720の種の周波数ホッピング方式を含むことができ、ここで一つずつ挙げない。
【００６６】
また、本開示は、具体的な周波数ホッピング方式に制限をかけないが、好ましくは、隣接する二回の周波数ホッピングの間の周波数帯域差をできるだけ大きくし、即ち、隣接する二回の周波数ホッピングがクロスするＲＢの数をできるだけ多くして、ユーザー機器間の干渉を減少させる。
【００６７】
(１-２-５．他のＳＲＳリソース設置)
以上、図２ないし図４に示す例は、上りリンクビーム管理およびＣＳＩ取得を同時に実現するためのＳＲＳリソース設置の例が一つのタイムスロット内のすべてのＯＦＤＭシンボルを占有すると仮定したが、実際の応用において、当該ＳＲＳリソース設置がすべてのＯＦＤＭシンボルを占有しない可能性がある(例えば、二番目〜四番目のＯＦＤＭシンボルのみを占有する)。従って、リソース利用效率をさらに向上するために、上記ＳＲＳリソース設置に加えて、本開示の実施例によるＳＲＳマッピング構造は、一つまたは複数の他のＳＲＳリソース設置をさらに含むこともできる。以下、図５を参照してこの場合におけるＳＲＳマッピング構造の構成例を詳細に説明する。図５は本開示の実施例による異なるＳＲＳリソース設置を含むＳＲＳマッピング構造の例を示す模式図である。
【００６８】
図５に示すように、当該ＳＲＳマッピング構造において、二番目〜四番目のＯＦＤＭシンボルに対応するＳＲＳリソース設置は、前記した上りリンクビーム管理およびＣＳＩ取得を同時に実現するためのＳＲＳリソース設置とほぼ同じであり、ここで重複して説明しない。五番目〜七番目のＯＦＤＭシンボルはＵ２プロセス、Ｕ３プロセスおよびＵ１プロセスをそれぞれ実現するためのＳＲＳリソース設置の例を含む。
【００６９】
図５に示すように、一番目のＲＢにおける五番目〜七番目のＯＦＤＭシンボルに対応するＳＲＳリソース設置は、Ｕ２プロセスを実現するためのＳＲＳリソース機能ブロックを構成し(破線の枠で示される)、それは、時間領域で三つの受信ビームのスキャンを実現することができ、当該機能ブロックにＩＦＤＭＡモデルを応用する必要がない。二番目のＲＢにおける五番目〜七番目のＯＦＤＭシンボルに対応するＳＲＳリソース設置は、Ｕ３プロセスを実現するためのＳＲＳリソース機能ブロックを構成し(破線の枠で示される)、時間領域で三つの送信ビームのスキャンを実現することができ、且つ当該機能ブロックにもＩＦＤＭＡモデルを応用する必要がない。三番目のＲＢにおける五番目〜七番目のＯＦＤＭシンボルに対応するＳＲＳリソース設置はＵ１プロセスを実現するためのＳＲＳリソース機能ブロックを構成し(破線の枠で示される)、当該機能ブロックはＩＦＤＭＡモデルを応用する必要があり、時間領域で三つの送信ビームのスキャンを実現するとともに、周波数領域で三つの受信ビームのスキャンを実現する。
【００７０】
ビーム管理のみに用いられるＳＲＳリソース設置については、マルチポート測定が必要ではないため、上りリンクビーム管理に用いられるＳＲＳリソース設置における各グループのＳＲＳリソースのポートの数は一つであってもよく、図５において、例えば、ポート０であることが分かる。
【００７１】
また、図面に示されていないが、当該ＳＲＳマッピング構造には、ＣＳＩ取得のみを実現するためのＳＲＳリソース設置をさらに含むことができ、当該ＳＲＳリソース設置における各グループのＳＲＳリソースのポートの数はユーザー機器のアンテナポートの数に対応し、所定の周波数ホッピング方式に従ってブロードバンド測定を実現し、ここで詳細に説明しない。
【００７２】
図５に示すＳＲＳマッピング構造には複数のＳＲＳリソース設置が含まれ、様々な場合におけるニーズにより柔軟に適応し、上りリンク伝送リソースを十分に利用することができる。しかし、一般的に、上りリンク伝送を行う場合に、ユーザー機器は上りリンクビーム管理およびＣＳＩ取得を周期的に行う必要があるので、本開示の実施例によるビーム管理およびＣＳＩ取得を同時に実現できるＳＲＳリソース設置は、普遍的な適用性を有する。
【００７３】
(１-２-６．ＳＲＳマッピング構造の通知)
ベクトルの形式でＳＲＳによって占有されるＯＦＤＭシンボルの位置を指示してもよい。具体的に、例えば、各タイムスロットに七つのＯＦＤＭシンボルが含まれ(または、１４のＯＦＤＭシンボルが含まれてもよい)ことを例に、７ビットのベクトルｘを定義してもよい。一つのＯＦＤＭシンボルのいずれかのリソースエレメントがＳＲＳリソースに占有されば、当該ＯＦＤＭシンボルに対応するビット位が１と表され、さもなければ、０と表される。図２の(ａ)を例に、一番目のＯＦＤＭシンボルは、一般的に、チャネルを制御するために用いられ、ＳＲＳリソースに占有されてはいけなく、二番目〜七番目のＯＦＤＭシンボルが全部ＳＲＳリソースに占有され、当該ＳＲＳリソース設置に対応するベクトルｘは｛０１１１１１１｝と表すことができる。
【００７４】
代わりに、以上のように、ＳＲＳマッピング構造における各ＳＲＳ設置に含まれるＳＲＳリソースは、一般的に、ＯＦＤＭシンボルを連続して占有するので、各ＳＲＳリソース設置の開始ＳＲＳリソースの位置(例えば、占有される開始ＯＦＤＭシンボルの番号)と、占有されるＯＦＤＭシンボルの総数を指示することで、一つのタイムスロット内でＳＲＳリソースに占有されるＯＦＤＭシンボルの位置を通知してもよい。
【００７５】
具体的なＳＲＳマッピング構造と合わせて適切な通知方式を選択して、シグナリングオーバーヘッドを節約することができる。例えば、ＳＲＳマッピング構造に一つのＳＲＳリソース設置のみが含まれる場合に、第２種の通知方式(即ち、開始ＳＲＳリソース位置+占有されるＯＦＤＭシンボルの数)のシグナリングオーバーヘッドは小さい可能性があり、優先して使用してもよい。一方、ＳＲＳマッピング構造に複数のＳＲＳリソース設置が含まれる場合に、第１種の通知方式(即ち、ベクトルｘを使用する)のシグナリングオーバーヘッドがより小さい可能性があるので、この場合、当該通知方式を優先して使用する。
【００７６】
好ましくは、さらに、上りリンクリソースの利用率をより向上させるために、配置ユニット１０２は、さらに、実際の状況に応じて配置され、ＳＲＳリソースによつて占有されるＯＦＤＭシンボルと物理ランダムアクセスチャネル(ＰＲＡＣＨ)、物理上りリンク制御チャネル(ＰＵＣＣＨ)、復調参照信号(ＤＭＲＳ)、および物理上りリンク共有チャネル(ＰＵＳＣＨ)のうちの少なくとも一つによって占有されるＯＦＤＭシンボルを多重化するようにしてもよく、多重化を行うことを許可するように配置される場合に、ＳＲＳリソースを低い優先度に設置し、これにより、衝突が生じるか、ＳＲＳ信号の伝送が多重化されるＯＦＤＭシンボル上の他の信号伝送に影響する場合に、伝送されるＳＲＳ信号を破棄し、他の高い優先度信号の伝送を確保する。
【００７７】
例えば、４ビットのベクトルｃを定義してユーザー機器に対して上記四つの場合の多重化を許可するかどうかを通知してもよく、多重化が許可される場合が１と表され、多重化が禁止される場合が０と表される。例として、基地局がＰＲＡＣＨとの多重化を許可し、ＰＵＣＣＨとの多重化を禁止、ＤＭＲＳとの多重化を許可し、ＰＵＳＣＨとの多重化を許可するように配置されると仮定すると、ベクトルｃは、｛１０１１｝と表すことができ、これにより、通知ユニット１０４はベクトルｃをユーザー機器に通知することができ、ユーザー機器は当該多重化に関する通知を受信した後に、他の信号と多重化を行うことでＳＲＳを伝送してもよい。
【００７８】
一方、衝突があって基地局が衝突が生じたＳＲＳを破棄した後に、通知ユニット１０４は、ユーザー機器によって伝送されたＳＲＳが破棄され且つ再伝送を必要とすることを報知するようにユーザー機器(例えば、シグナリングＳＲＳ_Ｍｕｌｔｉｐｌｅｘｉｎｇ_Ｆａｌｓｅを設計してもよい)に通知する必要がある。
【００７９】
好適な例として、上記通知内容について、シグナリングＳＲＳ_ＯＦＤＭ_Ｓｙｍｂｏｌ_Ｌｏｃａｔｉｏｎを設計して、ＳＲＳによって占有されたＯＦＤＭシンボルの位置、多重化の状況に関する指示、および多重化を行うＯＦＤＭシンボルの位置などの情報をユーザー機器に通知してもよい。
【００８０】
一方、ＳＲＳマッピング構造は、一般的に、サブキャリアまたはＲＢを単位として構成されるので、好ましくは、通知ユニット１０４はビットマップの形式でＳＲＳマッピング構造を通知してもよい。当該ビットマップは、例えば、以下のような方式によって生成され、各サブキャリアについて、ＳＲＳリソースに占有されるＲＥが１と表され、ＳＲＳリソースに占有されないＲＥが０と表されることによりビットマップを生成し、これにより、各サブキャリアは一つの７ビット(または１４ビット)のベクトルｂに対応する。
【００８１】
通知ユニット１０４は、例えば、ＲＲＣシグナリング、ＤＣＩ、またはそれらの組み合わせによりユーザー機器にＳＲＳマッピング構造に対応するビットマップを通知してもよい。ＲＲＣシグナリング通知周期は長いが多い内容をキャリアでき、ＤＣＩの通知周期が短く高いリアルタイム性を有するが、物理層リソースの不足によりキャリア内容が制限されるから、実際に通知を行う場合に、具体的な場合(例えば、ＳＲＳマッピング構造の規模、リアルタイム性要求など)に応じて、適切に選択し、本開示は、ここで具体的に制限しない。
【００８２】
上りリンクビーム管理およびＣＳＩ取得を同時に実現できるＳＲＳリソース設置を含む上記ＳＲＳマッピング構造は、システムの時間遅延を減少させ、上りリンクリソース利用率を向上させるが、システムオーバーヘッドを増加させてしまうという問題が存在する。一方、ビーム管理機能およびＣＳＩ取得機能をそれぞれ実現する独立したＳＲＳマッピング構造はシステムの時間遅延を増加させるが、システムオーバーヘッドを削減させることができる。従って、実際の応用において、異なる条件とニーズに応じてＳＲＳマッピング構造を配置することができる。
【００８３】
例として、ユーザー機器のアンテナポートの数に応じてＳＲＳマッピング構造の配置を確定してもよい。例えば、ユーザー機器のアンテナポートの数が所定の閾値を下回ると、本開示の実施例による上りリンクビーム管理およびＣＳＩ取得を同時に実現できるＳＲＳマッピング構造を配置することができ、即ち、ユーザー機器のアンテナポートの数が小さいほど、当該ＳＲＳマッピング構造を配置する必要がある。逆に、ユーザー機器のアンテナポートの数が多すぎると(即ち、当該所定の閾値を上回ると)、上りリンクビーム管理およびＣＳＩ取得をそれぞれ実現するＳＲＳマッピング構造(独立ＳＲＳマッピング構造とも称される)を配置することができる。
【００８４】
一方、以上のように、本開示の実施例によるＳＲＳマッピング構造は、上りリンクリソース利用率を向上させることができる。従って、ユーザー機器の上りリンクリソース利用率を周期的にモニタリングし、上りリンクリソース利用率が所定の閾値を下回る場合に、ユーザー機器に、上りリンクビーム管理およびＣＳＩ取得を同時に実現できるＳＲＳマッピング構造を配置し、即ち、上りリンクリソース利用率が低いほど、当該ＳＲＳマッピング構造を配置する必要がある。
【００８５】
アンテナポート数量についての所定の閾値および上りリンクリソース利用率についての所定の閾値が大きく設定されるほど、本開示によるＳＲＳマッピング構造を配置するのに有利である。当業者は実際の必要に応じて所定の閾値を合理的に設置することができ、本開示はこれを具体的に制限しない。
【００８６】
上記本開示の実施例よれば、上りリンクビーム管理およびＣＳＩの取得を同時に実現できるＳＲＳマッピング構造を設計し、当該ＳＲＳマッピング構造の関連するパラメーター配置および通知方式を説明した。このように設計されたＳＲＳマッピング構造はシステムの時間遅延を低減させ、上りリンクリソース利用效率を向上させることができる。また、ＳＲＳマッピング構造を動的に配置する判断条件を提供して、システムの時間遅延とシステムオーバーヘッドを両立させ、これにより、実際のニーズに応じて必要なＳＲＳマッピング構造をより合理的に設置する。
【００８７】
なお、上記装置１００はチップレベルで実現されてもよいし、他の外部の部品を含むことでデバイスレベルで実現されてもよい。例えば、装置１００は、通信操作を実行するための通信ユニットを含んでもよい(選択的に、破線の枠で示される)。例えば、通信ユニットは、ユーザー機器に対して配置されたＳＲＳマッピング構造、衝突が生じたＳＲＳの破棄などを通知すること、ユーザー機器からのＳＲＳリソース配置要求、サブバンド帯域幅配置要求、ＳＲＳなどを受信することを実行するために用いられる。
【００８８】
[２．ユーザー機器側の構成例]
上記基地局側の装置の構成例に対応して、以下、図６を参照して本開示の実施例によるユーザー機器側の装置の機能構成例を説明する。図６は、本開示の実施例による無線通信システムにおけるユーザー機器側の装置機能の構成例を示すブロック図である。
【００８９】
図６に示すように、この実施例による装置６００は制御ユニット６０２を含む。
【００９０】
制御ユニット６０２は、基地局から通知されたＳＲＳマッピング構造に応じて、相応する時間周波数リソース上で基地局にＳＲＳを送信するようにユーザー機器を制御するように配置される。当該ＳＲＳマッピング構造は、少なくとも、上りリンクビーム管理およびＣＳＩ取得を同時に実現するためのＳＲＳリソース設置を含む。ＳＲＳマッピング構造の具体的な構成例は、以上の対応する箇所の説明を参照し、ここで重複して説明しない。
【００９１】
好ましくは、制御ユニット６０２は、さらに、上記Ｕ１プロセスおよびＵ３プロセスについて、それぞれ異なるスキャン待ちの送信ビームで基地局にＳＲＳを順次に送信するようにユーザー機器を制御して送信ビームスキャンを実現し、上記Ｕ２プロセスについて、同一の送信ビームで基地局にＳＲＳを順次に送信するようにユーザー機器を制御して受信ビームスキャンを実現するように配置されてもよい。
【００９２】
好ましくは、制御ユニット６０２は、さらに、基地局から通知された多重化状況に関する指示(例えば、以上定義されたベクトルｃであり、基地局側のシグナリングＳＲＳ_ＯＦＤＭ_Ｓｙｍｂｏｌ_Ｌｏｃａｔｉｏｎに含まれ得る)に応じて、他の信号と多重化を行うことで基地局にＳＲＳを送信するようにユーザー機器を制御するように配置されてもよい。また、基地局から多重化により伝送されるＳＲＳが衝突によって破棄された通知を受信した場合に、制御ユニット６０２は、破棄されたＳＲＳを再伝送するようにユーザー機器を制御してもよい。また、好ましくは、伝送パワーの浪費を避けるために、制御ユニット６０２は、さらに、パワーブースティング(ｐｏｗｅｒ  ｂｏｏｓｔｉｎｇ)技術を用いて、元には破棄されたＳＲＳを伝送するために割り当てられたパワーを、当該ＳＲＳと多重化がある他の信号に割り当てるように配置されてもよい。
【００９３】
好ましくは、制御ユニット６０２は、ユーザー機器のサブバンド帯域幅配置要求を専用シグナリング(例えば、上記ＳＲＳ_Ｓｕｂｂａｎｄ_Ｒｅｑｕｅｓｔ)または上りリンクスケジューリング要求(ＳＲ)に含んで基地局に送信して、基地局がサブバンドＳＲＳ帯域幅を確定するように配置されてもよい。
【００９４】
また、好ましくは、制御ユニット６０２は、ユーザー機器のＳＲＳリソース配置要求(例えば、ＳＲＳ_Ｒｅｓｏｕｒｃｅ_Ｒｅｑｕｅｓｔ)を生成して、基地局に対して必要な数のＳＲＳリソースを配置することを要求する。
【００９５】
上記装置６００は、チップレベルで実現されてもよいし、他の外部の部品を含むことでデバイスレベルで実現されてもよい。例えば、装置６００は、通信操作を実行するための通信ユニットをさらに含んでもよい(選択的に、破線の枠で示される)。例えば、通信ユニットは、基地局から通知されたＳＲＳマッピング構造および他の関連パラメーター設置を受信すること、基地局にＳＲＳリソース配置要求、サブバンド帯域幅配置要求、ＳＲＳなどを送信することなどを実行するために用いられてもよい。
【００９６】
なお、ここで説明されるユーザー機器側の装置６００の実施例は以上の基地局側の装置１００の実施例に対応するので、この実施例において詳細に説明されていない内容については、以上の対応する箇所の説明を参照し、ここで重複して説明しない。
【００９７】
なお、以上図２と図６を参照して説明された各機能ユニットはそれが実現する具体的な機能に応じて分割された論理ブロックであり、具体的な実現方式を制限しない。実際に実現する場合に、上記各機能ユニットとモジュールは、独立する物理エンティティとして実現されてもよいし、単一のエンティティ  (例えば、プロセッサー(ＣＰＵや、ＤＳＰなど)、集積回路など)により実現されてもよい。
【００９８】
なお、以上図２と図６に示すブロック図を参照して本開示の装置実施例を説明したが、これは例であり、制限ではない。当業者は、本開示の原理に応じて、示された機能構成例を修正してもよく、例えば、その中の各機能モジュールに対して添加、削除、修正、組み合わせなどを行い、それらの変形は本開示の範囲内に属する。
【００９９】
[３．本開示の実施例によるシグナリング設計とインタラクションプロセス]
本開示の原理をより理解しやすくするために、以下図７Ａと図７Ｂに示すフローチャートを参照して、本開示の技術を実施するためのシグナリング設計とインタラクションプロセスを説明する。
【０１００】
図７Ａは、本開示の実施例によるシグナリングインタラクションプロセスの第１の例を示すフローチャートである。
【０１０１】
図７Ａに示すように、まず、ステップＳ７０１において、ユーザー機器は基地局にＳＲＳリソース配置要求(例えば、ＳＲＳ_Ｒｅｓｏｕｒｃｅ_Ｒｅｑｕｅｓｔ)  を送信して、基地局に対してユーザー機器にＳＲＳリソースを配置するように要求する。次に、ステップＳ７０２において、基地局はユーザー機器からの要求に応答して、ユーザー機器のアンテナポートの数が所定の閾値よりも小さいかどうかを判断し、アンテナポートの数が所定の閾値よりも小さいと判断した場合に、上記方式に従ってユーザー機器に上りリンクビーム管理およびＣＳＩ取得を同時に実現できるＳＲＳマッピング構造を配置する。続いて、ステップＳ７０３において、基地局は、確定されたＳＲＳマッピング構造をユーザー機器に通知し、例えば、図に示すシグナリングＳＲＳ_Ｕｎｉｆｉｅｄ_Ｓｔｒｕｃｔｕｒｅを利用し、当該シグナリングに具体的なＳＲＳリソース、ポートマッピング、シフト量、サンプリング係数などの一連の配置情報が含まれもよい。ステップＳ７０４において、ユーザー機器は、基地局に  (例えば、図に示すシグナリングＵＥ_ＳＲＳ_Ｓｔｒｕｃｔｕｒｅ_Ｆｅｅｄｂａｃｋ)  フィードバックして、ユーザー機器による配置されたＳＲＳマッピング構造の受信が成功したかどうかを指示する。例えば、ＵＥ_ＳＲＳ_Ｓｔｒｕｃｔｕｒｅ_Ｆｅｅｄｂａｃｋ＝１をフィードバックすると、ユーザー機器による配置の受信が成功したことを示し、さもなければ、ユーザー機器による配置の受信が失敗したことを示す。受信が成功した場合に、ステップＳ７０５において、ユーザー機器は、受信したＳＲＳマッピング構造に応じて、相応する時間周波数リソース上で基地局にＳＲＳを送信する。
【０１０２】
図７Ｂは、本開示の実施例によるシグナリングインタラクションプロセスの第２の例を示すフローチャートである。
【０１０３】
図７Ｂに示すフローチャートは、図７Ａに示すフローチャートとほぼ同じであり、相違点は以下の通りであり、ステップＳ７０２’  において、基地局は、ユーザー機器のアンテナポートの数が所定の閾値よりも大きいと判断し、継続してステップＳ７０３’  において、ユーザー機器の上りリンクリソース利用率が所定の閾値を下回るかどうかを判断し、上りリンクリソース利用率が所定の閾値を下回ると判断した場合に、ユーザー機器に上りリンクビーム管理およびＣＳＩ取得を同時に実現できるＳＲＳマッピング構造を配置し、そして、ステップＳ７０４’  において、配置されたＳＲＳマッピング構造(ＳＲＳ_Ｕｎｉｆｉｅｄ_Ｓｔｒｕｃｔｕｒｅ)をユーザー機器に通知する。
【０１０４】
また、ユーザー機器のアンテナポートの数が一般的に固定され、上りリンクリソース利用率が動的に変化するので、その後の操作において、基地局は、ユーザー機器の上りリンクリソース利用率を周期的にモニタリングする必要があり、上りリンクリソース利用率が所定の閾値を上回ると判断した場合に(ステップＳ７０７’)、ユーザー機器に上りリンクビーム管理およびＣＳＩ取得をそれぞれ実現する独立ＳＲＳマッピング構造を配置し、ステップＳ７０８’において、配置された独立ＳＲＳマッピング構造(例えば、シグナリングＳＲＳ_Ｉｎｄｅｐｅｎｄｅｎｔ_Ｓｔｒｕｃｔｕｒｅ)をユーザー機器に通知する。そして、ユーザー機器はステップＳ７０９’において類似するフィードバック操作を行い、配置が成功したことを受信した場合に、ステップＳ７１０’において、受信したＳＲＳマッピング構造に応じて、相応する時間周波数リソース上で基地局にＳＲＳを送信する。
【０１０５】
ここで、ユーザー機器にどのＳＲＳマッピング構造を配置するかを確定する場合には、アンテナポートの数が所定の閾値を下回る条件と、上りリンクリソース利用率が所定の閾値を下回る条件との少なくとも一つを満足すると、ユーザー機器に上りリンクビーム管理およびＣＳＩ取得を同時に実現できるＳＲＳマッピング構造(即ち、いわゆる統合ＳＲＳマッピング構造)を配置し、さもなければ、ユーザー機器に上りリンクビーム管理およびＣＳＩ取得をそれぞれ実現するＳＲＳマッピング構造(即ち、いわゆる独立ＳＲＳマッピング構造)を配置することを理解されたい。
【０１０６】
なお、図７Ａ、図７Ｂに示すシグナリングインタラクションの流れは本開示の原理を説明するために提供される例であり、当業者は本開示の原理に応じて適切な変形を行うことができ、それらの変形は本開示の範囲内に入るものである。例えば、ステップＳ７０１とＳ７０１’において、基地局にＳＲＳリソース配置要求を送信する代わりに、基地局にサブバンド帯域幅配置要求(ＳＲＳ_Ｓｕｂｂａｎｄ_Ｒｅｑｕｅｓｔ)を送信し、基地局に対してユーザー機器が所望するサブバンドＳＲＳ帯域幅配置を指示し、基地局は、当該要求に対してユーザー機器に  (例えば、ＢＳ_ＳＲＳ_Ｓｕｂｂａｎｄ_Ｒｅｓｐｏｎｓｅ)  フィードバックして、基地局に対してユーザー機器のサブバンド帯域幅配置要求を受けるかどうかを指示し、またはこの二つのステップを省略してもよく、基地局は、ユーザー機器のリソースニーズを考慮せず、リソース利用状况およびユーザー機器の関連情報(スキャン待ちのビームの数、アンテナポートの数等)に応じてＳＲＳマッピング構造を配置してもよい。また、例えば、以上のように多重化に衝突があるのでＳＲＳが破棄された場合に、基地局は、ユーザー機器が破棄されたＳＲＳを再伝送するように、ユーザー機器に通知してもよい。
【０１０７】
また、図７Ａと図７Ｂにおいて、説明の便宜上、各ステップに時系列で番号が付けられているが、これらの番号は、これらのステップが実行される順序を示すものではない。実際に、あるステップは並行して実行したり、順序を入れ替えたりすることができる。
【０１０８】
[４．本開示の実施例による無線通信システムにおける方法]
上記装置実施例に対応して、以下、図８と図９を参照して、本開示による方法実施例を説明する。
【０１０９】
(４-１．基地局側の方法)
図８は、本開示の実施例による無線通信システムにおける基地局側の方法のプロセスの例を示すフローチャートである。
【０１１０】
図８に示すように、方法８００は、ステップＳ８０１から開示される。ステップＳ８０１において、少なくとも、ユーザー機器のアンテナポートの数と、スキャン待ちの送信ビームおよび／または受信ビームの数とに基づいて、当該ユーザー機器についてのサウンディング参照信号ＳＲＳマッピング構造を配置し、当該ＳＲＳマッピング構造は、少なくとも、上りリンクビーム管理およびＣＳＩ取得を同時に実現できるＳＲＳリソース設置を含む。当該ＳＲＳマッピング構造の具体的な配置については、以上の装置実施例における対応する箇所の説明を参照し、ここで重複して説明しない。
【０１１１】
次に、当該方法はステップＳ８０２に進む。ステップＳ８０２において、配置されたＳＲＳマッピング構造をユーザー機器に通知する。具体的な通知方式、および通知する必要がある関連パラメーター情報は、以上の装置実施例における対応する箇所の説明を参照し、ここで重複して説明しない。
【０１１２】
(４-２．ユーザー機器側の方法)
図９は、本開示の実施例による無線通信システムにおけるユーザー機器側の方法のプロセスの例を示すフローチャートである。
【０１１３】
図９に示すように、当該実施例による方法９００はステップＳ９０１から開始される。ステップＳ９０１において、基地局から通知されたＳＲＳマッピング構造を取得する。当該ＳＲＳマッピング構造は少なくとも上りリンクビーム管理およびＣＳＩ取得を同時に実現できるＳＲＳリソース設置を含む。
【０１１４】
続いて、当該方法はステップＳ９０２に進む。ステップＳ９０２において、取得されたＳＲＳマッピング構造に応じて、相応する時間周波数リソース上で基地局にＳＲＳを送信するようにユーザー機器を制御する。
【０１１５】
ここで、図８と図９を参照して説明した方法実施例は、以上で図１と図６を参照して説明した装置実施例にそれぞれ対応するので、ここで詳細に説明していない内容については、上記の対応する位置の説明を参照でき、ここで重複して説明しない。
【０１１６】
なお、以上で、本開示の実施例による無線通信システムにおける方法のプロセスの例を説明したが、例示的なものであり、制限をかけるものではなく、当業者は、本開示の原理に応じて以上の実施例に対して修正を行うことができ、例えば、各々の実施例におけるステップに対して添加、削除或いは組み合わせなどを行うことができ、これらの修正も本開示の範囲に含まれる。
【０１１７】
なお、本開示の実施例による記憶媒体とプログラム製品における機械実行可能な命令は、上記装置実施例に対応する方法を実行するように配置することもできるので、ここで詳細に説明されていない内容については、前の対応する位置の説明を参照でき、ここで重複して説明しない。
【０１１８】
それに応じて、上記機械実行可能な命令を含むプログラム製品を記憶するための記憶媒体も本発明の公開に含まれている。当該記憶媒体は、フロッピーディスク、光ディスク、光磁気ディスク、メモリカード、メモリスティック等を含むが、それらに限らない。
【０１１９】
[５．本開示の装置と方法を実施するための算出装置]
また、上記一連の処理及び装置はソフトウェア及び／又はファームウェアにより実現されてもよい。ソフトウェア及び／又はファームウェアにより実現される場合に、記憶媒体又はネットワークから専用ハードウェア構造を有するコンピュータ、例えば図１０に示す汎用パーソナルコンピュータ１０００に当該ソフトウェアを構成するプログラムをインストールし、このコンピュータは各種のプログラムをインストールした後、各種の機能等を実行できる。図１０は、本開示の実施例に採用可能な情報処理装置としてのパーソナルコンピュータの概略構成を示すブロック図である。
【０１２０】
図１０において、中央処理装置（ＣＰＵ）１００１は、読取専用記憶媒体（ＲＯＭ）１００２に記憶されるプログラム又は記憶部１００８からランダムアクセスメモリ（ＲＡＭ）１００３にロードするプログラムにより各種の処理を実行する。ＲＡＭ１００３は、必要に応じてＣＰＵ１００１が各種の処理等を実行する場合に必要なデータも記憶する。
【０１２１】
ＣＰＵ１００１、ＲＯＭ  １００２及びＲＡＭ  １００３は、バス１００４を介して互いに接続される。入力／出力インタフェース１００５もバス１００４に接続される。
【０１２２】
キーボード、マウス等を含む入力部１００６、例えば、陰極線管（ＣＲＴ）、液晶ディスプレイ（ＬＣＤ）等のディスプレイ、スピーカー等を含む出力部１００７、ハードディスク等を含む記憶部１００８、ネットワークインタフェースカード、例えば、ＬＡＮカード、モデム等を含む通信部１００９は、入力／出力インタフェース１００５に接続される。通信部分１００９は、ネットワーク、例えば、インターネットを介して通信処理を実行する。
【０１２３】
ドライバ１０１０は必要に応じて入力／出力インタフェース１００５に接続されてもよい。リムーバブルメディア１０１１、例えば、磁気ディスク、光ディスク、光磁気ディスク、半導体メモリ等は、必要に応じてドライバ１０１０に実装され、これにより、それから読み出されるコンピュータプログラムは必要に応じて記憶部１００８にインストールされる。
【０１２４】
ソフトウェアにより上記一連の処理を実現する場合、ネットワーク、例えば、インターネット、或いは、記憶媒体、例えば、リムーバブルメディア１０１１からソフトウェアを構成するプログラムをインストールする。
【０１２５】
当業者は、このような記憶媒体が、図１０に示すプログラムが記憶され、ユーザにプログラムを提供するように装置から分離して配信するリムーバブルメディア１０１１に限られないことを理解されたい。リムーバブルメディア１０１１の例は、磁気ディスク（フロッピーディスク（登録商標）を含む）、光ディスク（光ディスク読取専用記憶媒体（ＣＤ-ＲＯＭ）及びデジタル多用途ディスク（ＤＶＤ））、光磁気ディスク（ミニディスク（ＭＤ）（登録商標）を含む）及び半導体メモリを含む。或いは、記憶媒体は、ＲＯＭ１００２、記憶部１００８に含まれるハードディスク等であってもよく、プログラムを記憶しており、それらを含む装置とともにユーザに配信される。
【０１２６】
[６．本開示の技術的な応用例]
本開示の技術は各種の製品に応用することができる。本開示で言及された基地局は、ｇＮｏｄｅＢ（ｇＮＢ）と任意のタイプの進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。その代わりに、基地局は、任意の他のタイプの基地局、例えばＮｏｄｅＢとベーストランシーバ基地局（ＢＴＳ）として実現されてもよい。基地局は、無線通信を制御するように配置される本体（基地局デバイスとも称する）と、本体と異なる箇所に設置される一つ又は複数のリモート無線ヘッド（ＲＲＨ）とを含んでもよい。また、以下説明する各種のタイプの端末は、基地局機能を一時又は半恒久的に実行することにより基地局として作動する。
【０１２７】
例えば、本開示で言及されたＵＥは、例えば、移動端末（例えばスマートフォン、タブレットパーソナルコンピュータ（ＰＣ）、ノートＰＣ、携帯型ゲーム端末、携帯型/ウオッチドッグ型移動ルータとデジタル撮像装置）又は車載端末（例えばカーナビゲーションデバイス）として実現されてもよい。また、ＵＥは、マシンツーマシン（Ｍ２Ｍ）通信を実行する端末（マシン型通信（ＭＴＣ）端末とも称する）として実現されてもよい。また、ＵＥは、上記端末における端末ごとに取り付けられた無線通信モジュール（例えば単一のチップを含む集成回路モジュール）であってもよい。
【０１２８】
以下、図１１ないし図１４を参照して本開示による応用例を説明する。
【０１２９】
(６-１．基地局についての応用例)
図１１は、本開示内容の技術を応用できるｅＮＢの概略的な構成の第１の例を示すブロック図である。ｅＮＢ１１００は、一つ又は複数のアンテナ１１１１及び基地局デバイス１１２０を含む。基地局デバイス１１２０と各アンテナ１１１１はＲＦケーブルを介して互いに接続されてもよい。
【０１３０】
アンテナ１１１０の各々は、一つの又は複数のアンテナ素子（例えば、マルチ入力・マルチ出力（ＭＩＭＯ）アンテナに含まれる複数のアンテナ素子）を含み、基地局装置１１２０による無線信号の送受信のために用いられる。ｅＮＢ１１００は、図１１に示したように複数のアンテナ１１１０を含んでもよい。複数のアンテナ１１１０は、ｅＮＢ１１００が使用する複数の周波数帯域と共用してもよい。ここで、図１１にはｅＮＢ１１００が複数のアンテナ１１１０を含む例を示したが、ｅＮＢ１１００は一つのアンテナ１１１０を含んでもよい。
【０１３１】
基地局デバイス１１２０は、コントローラ１１２１、メモリ１１２２、ネットワークインタフェース１１２３、及び無線通信インタフェース１１２５を含む。
【０１３２】
コントローラ１１２１は、例えばＣＰＵ又はＤＳＰであってよく、基地局デバイス１１２０の上位レイヤの様々な機能を操作する。例えば、コントローラ１１２１は、無線通信インタフェース１１２５により処理された信号内のデータからデータパケットを生成し、生成したパケットをネットワークインタフェース１１２３を介して転送する。コントローラ１１２１は、複数のベースバンドプロセッサからのデータをバンドルすることによりバンドルドパケットを生成し、生成したバンドルドパケットを転送してもよい。また、コントローラ１１２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ１１２２は、ＲＡＭ及びＲＯＭを含み、コントローラ１１２１により実行されるプログラム、及び様々な制御データ（例えば、端末リスト、伝送パワーデータ及びスケジューリングデータなど）を記憶する。
【０１３３】
ネットワークインタフェース１１２３は基地局デバイス１１２０をコアネットワーク１１２４に接続するための通信インタフェースである。コントローラ１１２１はネットワークインタフェース１１２３を介してコアネットワークノード又は他のｅＮＢと通信してもよい。この場合、ｅＮＢ１１００とコアネットワークノード又は他のｅＮＢとはロジックインタフェース(例えばＳ１インタフェースとＸ２インタフェース)により互いに接続される。ネットワークインタフェース１１２３は有線通信インタフェース、又は無線バックホール回線に用いられる無線通信インタフェースであってもよい。ネットワークインタフェース１１２３が無線通信インタフェースであると、ネットワークインタフェース１１２３は無線通信インタフェース１１２５により使用される周波数帯域よりも高い周波数帯域を無線通信に使用できる。
【０１３４】
無線通信インタフェース１１２５は、任意のセルラー通信方式（例えば、ＬＴＥ（Ｌｏｎｇ  Ｔｅｒｍ  Ｅｖｏｌｕｔｉｏｎ）、ＬＴＥ−Ｎｅｗ  Ｒａｄｉｏ）をサポートし、アンテナ１１１０を介して、ｅＮＢ１１００のセル内に位置する端末までの無線接続を提供する。無線通信インタフェース１１２５は、一般的に、ベースバンド（ＢＢ）プロセッサ１１２６及びＲＦ回路１１２７を含むことができる。ＢＢプロセッサ１１２６は、例えば、符号化/復号化、変調/復調及び多重化/逆多重化を実行でき、レイヤ(例えばＬ１、媒体アクセス制御(ＭＡＣ)、無線リンク制御(ＲＬＣ)、パケットデータ収束プロトコル(ＰＤＣＰ))の各種のタイプの信号処理を実行してもよい。コントローラ１１２１に代えて、ＢＢプロセッサ１１２６は上記ロジック機能の一部又は全部を有してもよい。ＢＢプロセッサ１１２６は通信制御プログラムを記憶するメモリであってもよく、又はプログラムを実行するように配置されるプロセッサ及び関連する回路を含むモジュールであってもよい。ＢＢプロセッサ１１２６の機能はプログラムの更新により変更可能である。当該モジュールは基地局デバイス１１２０のスロットに挿入されるカード若しくはブレードであってもよい。代わりに、当該モジュールはカード若しくはブレードに搭載されるチップであってもよい。一方、ＲＦ回路１１２７は例えばミキサ、フィルタ及びアンプを含んでもよく、アンテナ１１１０を介して無線信号を送受信する。
【０１３５】
図１１に示すように、無線通信インタフェース１１２５は複数のＢＢプロセッサ１１２６を含んでもよい。例えば、複数のＢＢプロセッサ１１２６はｅＮＢ１１００が使用する複数の周波数帯域に共用されてもよい。図１１に示すように、無線通信インタフェース１１２５は複数のＲＦ回路１１２７を含んでもよい。例えば、複数のＲＦ回路１１２７は複数のアンテナ素子に共用されてもよい。図１１は無線通信インタフェース１１２５に複数のＢＢプロセッサ１１２６と複数のＲＦ回路１１２７とを含む例を示したが、無線通信インタフェース１１２５は単一のＢＢプロセッサ１１２６又は単一のＲＦ回路１１２７を含んでもよい。
【０１３６】
(第２の応用例)
図１２は本開示の技術を応用できるｅＮＢの概略的な構成の第二の例を示すブロック図である。ｅＮＢ１２３０は一つ又複数のアンテナ１２４０と、基地局デバイス１２５０と、ＲＲＨ１２６０とを含む。ＲＲＨ１２６０は各アンテナ１２４０とＲＦケーブルを介して互いに接続されてもよい。基地局デバイス１２５０とＲＲＨ１２６０は例えば光ファイバケーブルの高速回線で互いに接続されてもよい。
【０１３７】
アンテナ１２４０の各々は、一つの又は複数のアンテナ素子（例えば、ＭＩＭＯアンテナに含まれる複数のアンテナ素子）を含み、ＲＲＨ１２６０による無線信号の送受信のために用いられる。図１２に示すように、ｅＮＢ１２３０は複数のアンテナ１２４０を含んでもよい。例えば、複数のアンテナ１２４０はｅＮＢ１２３０が使用する複数の周波数帯域と共用されてもよい。図１２はｅＮＢ１２３０が複数のアンテナ１２４０を含む例を示したが、ｅＮＢ１２３０は一つのアンテナ１２４０を含んでもよい。
【０１３８】
基地局デバイス１２５０は、コントローラ１２５１、メモリ１２５２、ネットワークインタフェース１２５３、無線通信インタフェース１２５５、及び接続インタフェース１２５７を含む。コントローラ１２５１、メモリ１２５２、及びネットワークインタフェース１２５３は図１１を参照して記述されたコントローラ１１２１、メモリ１１２２、及びネットワークインタフェース１１２３と同じである。
【０１３９】
無線通信インタフェース１２５５は任意のセルラー通信方式(例えばＬＴＥ、ＬＴＥ−Ｎｅｗ  Ｒａｄｉｏｄ)をサポートし、ＲＲＨ１２６０とアンテナ１２４０とを介してＲＲＨ  １２６０に対応するセクタ内に位置する端末までの無線通信を提供する。無線通信インタフェース１２５５は、一般的に、例えばＢＢプロセッサ１２５６を含んでもよい。ＢＢプロセッサ１２５６が接続インタフェース１２５７を介してＲＲＨ  １２６０のＲＦ回路１２６４と接続される他、ＢＢプロセッサ１２５６は図１３を参考して記述されたＢＢプロセッサ１３２６と同じである。図１２に示すように、無線通信インタフェース１２５５は複数のＢＢプロセッサ１２５６を含んでもよい。例えば、複数のＢＢプロセッサ１２５６はｅＮＢ  １２３０が使用する複数の周波数帯域と共用されてもよい。図１２は無線通信インタフェース１２５５が複数のＢＢプロセッサ１２５６を含む例を示したが、無線通信インタフェース１２５５は一つのＢＢプロセッサ１２５６を含んでもよい。
【０１４０】
接続インタフェース１２５７は基地局デバイス１２５０(無線通信インタフェース１２５５)をＲＲＨ１２６０に接続するためのインタフェースである。接続インタフェース１２５７は基地局デバイス１２５０(無線通信インタフェース１２５５)をＲＲＨ１２６０と接続する上記高速回線での通信のための通信モジュールであってもよい。
【０１４１】
ＲＲＨ１２６０は接続インタフェース１２６１と無線通信インタフェース１２６３とを含む。
【０１４２】
接続インタフェース１２６１はＲＲＨ１２６０(無線通信インタフェース１２６３)を基地局デバイス１２５０に接続するためのインタフェースである。接続インタフェース１２６１は上記高速回線での通信のための通信モジュールであってもよい。
【０１４３】
無線通信インタフェース１２６３は、アンテナ１２４０を介して無線信号を送受信する。無線通信インタフェース１２６３は、一般的に、例えばＲＦ回路１２６４を含んでもよい。ＲＦ回路１２６４は、例えばミキサ、フィルタ及びアンプなどを含んでもよく、アンテナ１２４０を介して無線信号を送受信する。図１２に示すように、無線通信インタフェース１２６３は複数のＲＦ回路１２６４を含んでもよい。例えば、複数のＲＦ回路１２６４は複数のアンテナ素子をサポートしてもよい。図１２は無線通信インタフェース１２６３が複数のＲＦ回路１２６４を含む例を示したが、無線通信インタフェース１２６３は一つのＲＦ回路１２６４を含んでもよい。
【０１４４】
図１１と図１２に示すｅＮＢ１１００およびｅＮＢ１２３０において、上記装置における通信ユニットは、無線通信インタフェース１１２５および無線通信インタフェース１２５５および／または無線通信インタフェース１２６３により実現されてもよい。装置１００における配置ユニット１０２、確定ユニット１０６、および制御ユニット１０８の機能の少なくとも一部はコントローラ１１２１およびコントローラ１２５１により実現されてもよい。
【０１４５】
(６-２．ユーザー機器についての応用例)
(第１の応用例)
図１３は本開示の技術を応用できるスマートフォン１３００の概略的な構成の一例を示すブロック図である。スマートフォン１３００は、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２、一つ又は複数のアンテナスイッチ１３１５、一つ又は複数のアンテナ１３１６、バス１３１７、バッテリー１３１８、及び補助コントローラ１３１９を含む。
【０１４６】
プロセッサ１３０１は例えばＣＰＵ又はＳｏＣ（Ｓｙｓｔｅｍ  ｏｎ  Ｃｈｉｐ）であってもよく、スマートフォン１３００のアプリケーションレイヤ及びその他のレイヤの機能を制御する。メモリ１３０２はＲＡＭとＲＯＭを含み、データと、プロセッサ１３０１により実行されるプログラムを記憶する。記憶装置１３０３は記憶媒体、例えば半導体メモリ又はハードディスクを含んでもよい。外部接続インタフェース１３０４は、外部装置(例えばメモリーカード又はＵＳＢ（Ｕｎｉｖｅｒｓａｌ  Ｓｅｒｉａｌ  Ｂｕｓ）デバイス)をスマートフォン１３００に接続するためのインタフェースである。
【０１４７】
撮像装置１３０６が画像センサ(例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）)を含み、キャプチャ画像を生成する。センサ１３０７は例えば、測定センサ、ジャイロセンサ、地磁気センサ及び加速度センサなどのセンサ群を含んでもよい。マイクロフォン１３０８はスマートフォン１３００に入力される音声を音声信号に変換する。入力装置１３０９は例えば表示装置１３１０のスクリーン上のタッチを検出するように配置されるタッチセンサ、キーパッド、キーボード、ボタン又はスイッチを含み、ユーザーから入力される操作又は情報を受信する。表示装置１３１０はスクリーン(例えば液晶ディスプレイ(ＬＣＤ)、有機発光ダイオード(ＯＬＥＤ)ディスプレイ)を含み、スマートフォン１３００の出力画像を表示する。スピーカ１３１１はスマートフォン１３００から出力される音声信号を音声に変換する。
【０１４８】
無線通信インタフェース１３１２は任意のセルラー通信方式(例えばＬＴＥ、ＬＴＥ−Ｎｅｗ  Ｒａｄｉｏ)をサポートし、無線通信を実行する。無線通信インタフェース１３１２は、一般的に、例えばＢＢプロセッサ１３１３とＲＦ回路１３１４とを含んでもよい。ＢＢプロセッサ１３１３は例えば符号化/復号化、変調/復調及び多重化/逆多重化を実行してもよく、無線通信のための様々なタイプの信号処理を実行する。一方、ＲＦ回路１３１４は例えばミキサ、フィルタ及びアンプを含んでもよく、アンテナ１３１６を介して無線信号を送受信する。無線通信インタフェース１３１２はＢＢプロセッサ１３１３とＲＦ回路１３１４を集積したワンチップのモジュールであってもよい。図１３に示すように、無線通信インタフェース１３１２は複数のＢＢプロセッサ１３１３と複数のＲＦ回路１３１４を含んでもよい。図１３は無線通信インタフェース１３１２が複数のＢＢプロセッサ１３１３と複数のＲＦ回路１３１４を含む例を示したが、無線通信インタフェース１３１２は一つのＢＢプロセッサ１３１３又は一つのＲＦ回路１３１４を含んでもよい。
【０１４９】
また、セルラー通信方式を除き、無線通信インタフェース１３１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース１３１２は無線通信方式ごとのＢＢプロセッサ１３１３とＲＦ回路１３１４を含んでもよい。
【０１５０】
アンテナスイッチ１３１５の各々は、無線通信インタフェース１３１２に含まれる複数の回路（例えば、異なる無線通信方式のための回路）の間でアンテナ１３１６の接続先をハンドオーバーする。
【０１５１】
アンテナ１３１６の各々は一つの又は複数のアンテナ素子（例えば、ＭＩＭＯアンテナに含まれる複数のアンテナ素子）を含み、無線通信インタフェース１３１２による無線信号の送受信のために用いられる。図１３に示すように、スマートフォン１３００は複数のアンテナ１３１６を含んでもよい。図１３はスマートフォン１３００が複数のアンテナ１３１６を含む例を示したが、スマートフォン１３００は一つのアンテナ１３１６を含んでもよい。
【０１５２】
また、スマートフォン１３００は無線通信方式ごとのアンテナ１３１６を含んでもよい。この場合、アンテナスイッチ１３１５はスマートフォン１３００の構成から省略されてもよい。
【０１５３】
バス１３１７は、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２及び補助コントローラ１３１９を互いに接続する。バッテリー１３１８は図において部分的に破線で示したフィーダー線を介して図１３に示すスマートフォン１３００の各ブロックにパワーを供給する。補助コントローラ１３１９は例えば、スリープモードにおいて、スマートフォン１３１９の必要最低限の機能を動作させる。
【０１５４】
図１３に示すスマートフォン１３００において、上記装置における通信ユニットは、無線通信インタフェースにより実現されてもよい。装置６００における制御ユニット６０２の機能の少なくとも一部はプロセッサ１３０１又は補助コントローラ１３１９により実現されてもよい。
【０１５５】
(第２の応用例)
図１４は本開示の技術を応用できるカーナビゲーションデバイス１４２０の概略的な構成の一例を示すブロック図である。カーナビゲーションデバイス１４２０は、プロセッサ１４２１、メモリ１４２２、ＧＰＳ（Ｇｌｏｂａｌ  Ｐｏｓｉｔｉｏｎｉｎｇ  Ｓｙｓｔｅｍ）モジュール１４２４、センサ１４２５、データインタフェース１４２６、コンテンツプレーヤ１４２７、記憶媒体インタフェース１４２８、入力装置１４２９、表示装置１４３０、スピーカ１４３１、無線通信インタフェース１４３３、一つ又は複数のアンテナスイッチ１４３６、一つ又は複数のアンテナ１４３７及びバッテリー１４３８を含む。
【０１５６】
プロセッサ１４２１は例えばＣＰＵ又はＳｏＣであってもよく、カーナビゲーションデバイス１４２０のナビゲーション機能及びその他の機能を制御する。メモリ１４２２はＲＡＭとＲＯＭを含み、データと、プロセッサ１４２１により実行されるプログラムを記憶する。
【０１５７】
ＧＰＳモジュール１４２４はＧＰＳ衛星から受信されるＧＰＳ信号を用いて、カーナビゲーション装置１４２０の位置（例えば、緯度、経度及び高度）を測定する。センサ１４２５は、例えば、ジャイロセンサ、地磁気センサ及び気圧センサのセンサ群を含んでもよい。データインタフェース１４２６は、図示しない端末を介して例えば、車載ネットワーク１４４１に接続され、車両で生成されるデータ(例えば車速データ)を取得する。
【０１５８】
コンテンツプレーヤ１４２７は記憶媒体インタフェース１４２８に挿入される記憶媒体（例えば、ＣＤ又はＤＶＤ）に記憶されているコンテンツを再生する。入力装置１４２９は例えば表示装置１４３０のスクリーン上のタッチを検出するように配置されるタッチセンサ、ボタン又はスイッチを含み、ユーザから入力される操作又は情報を受信する。表示装置１４３０は例えばＬＣＤ又はＯＬＥＤディスプレイのスクリーンを含み、ナビゲーション機能の画像又は再生されるコンテンツを表示する。スピーカ１４３１は、ナビゲーション機能の音声又は再生されるコンテンツを出力する。
【０１５９】
無線通信インタフェース１４３３は任意なセルラー通信方式(例えばＬＴＥ、ＬＴＥ−Ｎｅｗ  Ｒａｄｉｏ)をサポートし、無線通信を実行する。無線通信インタフェース１４３３は、一般的に、例えばＢＢプロセッサ１４３４とＲＦ回路１４１４とを含んでもよい。ＢＢプロセッサ１４３４は例えば符号化/復号化、変調/復調及び多重化/逆多重化を実行してもよく、無線通信のための様々なタイプの信号処理を実行する。一方、ＲＦ回路１４１４は例えばミキサ、フィルタ及びアンプを含んでもよく、アンテナ１４３７を介して無線信号を送受信する。無線通信インタフェース１４３３はＢＢプロセッサ１４３４とＲＦ回路１４１４を集積したワンチップのモジュールであってもよい。図１４に示すように、無線通信インタフェース１４３３は複数のＢＢプロセッサ１４３４と複数のＲＦ回路１４１４を含んでもよい。図１４は無線通信インタフェース１４３３が複数のＢＢプロセッサ１４３４と複数のＲＦ回路１４１４を含む例を示したが、無線通信インタフェース１４３３は一つのＢＢプロセッサ１４３４又は一つのＲＦ回路１４１４を含んでもよい。
【０１６０】
また、セルラー通信方式を除き、無線通信インタフェース１４３３は他の種類の無線通信方式、例えば、近距離無線通信方式、近接無線通信方式又は無線ＬＡＮ方式をサポートしてもよい。この場合、無線通信方式ごとに、無線通信インタフェース１４３３はＢＢプロセッサ１４３４とＲＦ回路１４１４を含んでもよい。
【０１６１】
アンテナスイッチ１４３６の各々は、無線通信インタフェース１４３３に含まれる複数の回路（例えば、異なる無線通信方式のための回路）の間でアンテナ１４３７の接続先をハンドオーバーする。
【０１６２】
アンテナ１４３７の各々は、一つの又は複数のアンテナ素子（例えば、ＭＩＭＯアンテナに含まれる複数のアンテナ素子）を含み、無線通信インタフェース１４３３による無線信号の送受信のために用いられる。図１４に示すように、カーナビゲーションデバイス１４２０は複数のアンテナ１４３７を含んでもよい。図１４はカーナビゲーションデバイス１４２０が複数のアンテナ１４３７を含む例を示したが、カーナビゲーションデバイス１４２０は一つのアンテナ１４３７を含んでもよい。
【０１６３】
また、カーナビゲーションデバイス１４２０は無線通信方式ごとにアンテナ１４３７を含んでもよい。この場合、アンテナスイッチ１４３６はカーナビゲーションデバイス１４２０の構成から省略されてもよい。
【０１６４】
バッテリー１４３８は、図において破線で部分的に示したフィーダー線を介して、図１４に示したカーナビゲーション装置１４２０の各ブロックにパワーを供給する。また、バッテリー１４３８は、車両側から給電されるパワーを蓄積する。
【０１６５】
図１４に示すカーナビゲーション装置１４０において、上記装置６００における通信ユニットは、無線通信インタフェース１４３３により実現されてもよく。装置６００における制御ユニット６０２の機能の少なくとも一部はプロセッサ１４２１により実現されてもよい。
【０１６６】
本開示の技術は、カーナビゲーション装置１４２０と、車載ネットワーク１４４１と、車両モジュール１４４２との一つ又は複数のブロックを含む車載システム（又は車両）１４４０として実現されてもよい。車両モジュール１４４２は車両データ（例えば車速、エンジン回転数、故障情報）を生成し、生成したデータを車載ネットワーク１４４１に出力する。
【０１６７】
以上、添付図面を参照しながら本開示の好適な実施形態について説明したが、本開示は以上の例に限定されないことは言うまでもない。当業者は、特許請求の範囲内において、各種の変更または修正を得ることができ、これらの変更または修正についても、当然に本開示の技術的範囲に属する。
【０１６８】
例えば、以上の実施例において一つのユニットに含まれる複数の機能は、別々の装置により実現されてもよい。代わりに、以上の実施例において複数のユニットにより実現される複数の機能はそれぞれ別々の装置により実現されてもよい。また、以上の機能の一つは複数のユニットにより実現されてもよい。このような構成は本開示の技術的範囲に含まれることは言うまでもない。
【０１６９】
当該明細書において、フローチャートに記述されるステップは、上記順序で時間順に従って実行される処理だけではなく、必ず時間順に従う必要がなく並行又は独立に実行される処理を含む。また、時系列に従って処理するステップにおいて、当該順序を適宜に変更できることは言うまでもない。
【０１７０】
既に本開示の及びメリットについて詳細に説明したが、付随する請求項に限定されている本開示の精神と範囲から逸脱しない場合に様々な変更、取り替え、変換を行うことができると理解すべきである。本開示の実施例の用語の「含む」、「包含」又はその任意の変化は、非排他的包含を含むことを意味することにより、一連の要素を含むプロセス、方法、物品又はデバイスはその要素を含むだけでなく、明確に挙げていない他の要素を含むか、又はこのようなプロセス、方法、物品又はデバイスが固有する要素をさらに含むようにする。また、より多く制限されない場合に、語句「一つ…を含む」が限定する要素は、上記要素を含むプロセス、方法、物品又はデバイスにおいて他の同一の要素を含むことを排除しない。
【図１】
2020529775.tif 000004
【図２】
2020529775.tif 000005
【図３】
2020529775.tif 000006
【図４】
2020529775.tif 000007
【図５】
2020529775.tif 000008
【図６】
2020529775.tif 000009
【図７Ａ】
2020529775.tif 000010
【図７Ｂ】
2020529775.tif 000011
【図８】
2020529775.tif 000012
【図９】
2020529775.tif 000013
【図１０】
2020529775.tif 000014
【図１１】
2020529775.tif 000015
【図１２】
2020529775.tif 000016
【図１３】
2020529775.tif 000017
【図１４】
2020529775.tif 000018
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
無線通信システムにおける装置であって、前記装置は、処理回路を含み、前記処理回路は、
少なくともユーザー機器のアンテナポートの数と、スキャン待ちの送信ビームおよび／または受信ビームの数とに基づいて、前記ユーザー機器に対するサウンディング参照信号ＳＲＳマッピング構造を配置し、
前記ＳＲＳマッピング構造を前記ユーザー機器に通知する、ように配置されており、
前記ＳＲＳマッピング構造は、少なくとも、上りリンクビーム管理およびチャネル状態情報ＣＳＩ取得を同時に実現するためのＳＲＳリソース設置を含む装置。
【請求項２】
前記処理回路は、さらに、
前記ＳＲＳマッピング構造を配置することにより、前記ＳＲＳリソース設置にＫグループのＳＲＳリソースが含まれ、且つ各グループのＳＲＳリソースがＮ個のポートを有するようにするように配置されており、Ｋはスキャン待ちの送信ビームまたは受信ビームの数に対応する正の整数であり、Ｎは前記ユーザー機器のアンテナポートの数に対応する正の整数である請求項１に記載の装置。
【請求項３】
各グループのＳＲＳリソースは、一つまたは複数のサブバンドＳＲＳリソースを含み、各サブバンドＳＲＳリソースはＮのポートを有する請求項２に記載の装置。
【請求項４】
前記処理回路は、さらに、
送信ビームスキャンおよび受信ビームスキャンを同時に行うＵ１プロセスについて、前記ＳＲＳマッピング構造を配置することにより、各グループのＳＲＳリソースがそれぞれ一つのスキャン待ちの送信ビームに対応するようにして時間領域で送信ビームスキャンを行うことを実現し、且つサンプリング係数がスキャン待ちの受信ビームの数以上であるようにしてＩＦＤＭＡモデルを構築し、周波数領域で受信ビームスキャンを行うことを実現し、ＣＳＩ取得を実現し、
受信ビームスキャンのみを行うＵ２プロセスについて、前記ＳＲＳマッピング構造を配置することにより、各グループのＳＲＳリソースが同一の送信ビームに対応するようにして時間領域で受信ビームスキャンを行うことを実現し、サンプリング係数に基づいてＩＦＤＭＡモデルを構築しＣＳＩ取得を実現するか、または
送信ビームスキャンのみを行うＵ３プロセスについて、前記ＳＲＳマッピング構造を配置することにより、各グループのＳＲＳリソースがそれぞれ一つのスキャン待ちの送信ビームに対応するようにして時間領域で送信ビームスキャンを行うことを実現し、且つサンプリング係数に基づいてＩＦＤＭＡモデルを構築しＣＳＩ取得を実現するように配置されている請求項２に記載の装置。
【請求項５】
前記処理回路は、さらに、各グループのＳＲＳリソースにおける各サブバンドＳＲＳリソースのポート数、占有するＯＦＤＭシンボルの数、およびサンプリング係数に基づいて、サブバンドＳＲＳ帯域幅を配置するとともに、所定の周波数ホッピング方式と、前記サブバンドＳＲＳ帯域幅とに基づいて、各グループのＳＲＳリソースを時間周波数リソースにマッピングすることで、前記ＳＲＳマッピング構造を配置し、各グループのＳＲＳリソースが上りリンク伝送帯域幅の全体をカバーするようにするように配置されており、前記サブバンドＳＲＳ帯域幅は、各時間周波数リソースブロックによって占有される帯域幅の整数倍である請求項３に記載の装置。
【請求項６】
前記処理回路は、さらに、また前記ユーザー機器からのサブバンド帯域幅配置要求に応じて前記サブバンドＳＲＳ帯域幅を配置するように配置され、
各サブバンドＳＲＳリソースが一つのタイムスロット内の一つまたは複数の連続するＯＦＤＭシンボルを占有し、且つ前記一つまたは複数の連続するＯＦＤＭシンボルのそれぞれのＯＦＤＭシンボルが、一つまたは複数のリソースブロックに分布されるか、または
前記所定の周波数ホッピング方式は、連続的なリソースブロック周波数ホッピングおよび／またはクロスリソースブロック周波数ホッピングを含む
請求項５に記載の装置。
【請求項７】
前記所定の周波数ホッピング方式は、タイムスロット内周波数ホッピングおよび／またはタイムスロット間周波数ホッピングを含む請求項５に記載の装置。
【請求項８】
前記タイムスロット内周波数ホッピングは、各グループのＳＲＳリソース内の各サブバンドＳＲＳリソースを時間領域でｈ個のＯＦＤＭシンボルだけ順次シフトさせることを含み、ｈは、各サブバンドＳＲＳリソースによって占有されるＯＦＤＭシンボルの数に等しい請求項７に記載の装置。
【請求項９】
前記処理回路は、さらに、専用シグナリングまたは上りリンクスケジューリンググラントシグナリングにより、前記サブバンドＳＲＳ帯域幅を前記ユーザー機器に通知するように配置されている請求項５に記載の装置。
【請求項１０】
前記専用シグナリングまたは前記上りリンクスケジューリンググラントシグナリングは、前記ＳＲＳマッピング構造の開始リソースブロック番号と終了リソースブロック番号をさらに含むか、または
前記専用シグナリングまたは前記上りリンクスケジューリンググラントシグナリングは、前記ＳＲＳマッピング構造の開始リソースブロック番号と上りリンク伝送帯域幅をさらに含む
請求項９に記載の装置。
【請求項１１】
前記処理回路は、さらに、前記ＳＲＳマッピング構造を配置することにより、前記ＳＲＳリソース設置のコームシフト量が０以上且つサンプリング係数未満の整数になるようにするように配置されている請求項２に記載の装置。
【請求項１２】
前記ユーザー機器のコームシフト量は、異なるユーザー機器のコームシフト量と同じまたは異なる請求項１１に記載の装置。
【請求項１３】
前記ＳＲＳマッピング構造は、上りリンク送信ビームスキャンのみを実現するためのＳＲＳリソース設置、上りリンク受信ビームスキャンのみを実現するためのＳＲＳリソース設置、上りリンク送信ビームと受信ビームスキャンのみを実現するためのＳＲＳリソース設置、およびＣＳＩ取得のみを実現するためのＳＲＳリソース設置のうちの一つまたは複数をさらに含む請求項１に記載の装置。
【請求項１４】
前記処理回路は、さらに、前記ユーザー機器からのＳＲＳの測定結果に基づいて、前記スキャン待ちの送信ビームおよび／または受信ビームから最適な送受信ビームペアを確定し、確定された最適な送受信ビームペアを前記ユーザー機器に通知するように配置されている請求項１に記載の装置。
【請求項１５】
前記処理回路は、さらに、確定された最適な送受信ビームペアに対応する測定結果を、ＣＳＩ取得結果として前記ユーザー機器に通知するように配置されている請求項１４に記載の装置。
【請求項１６】
前記処理回路は、さらに、前記ユーザー機器のアンテナポートの数が所定の閾値を下回る場合に、前記ユーザー機器に前記ＳＲＳマッピング構造を配置し、
前記ユーザー機器の上りリンクリソース利用率を周期的にモニタリングし、前記上りリンクリソース利用率が所定の閾値を下回る場合に、前記ユーザー機器に前記ＳＲＳマッピング構造を配置するか、または
前記ユーザー機器からのＳＲＳリソース配置要求に応じて、前記ユーザー機器に前記ＳＲＳマッピング構造を配置するように配置されているか、または
前記装置は基地局として作動し、前記装置は、通信操作を実行するように配置されている通信ユニットをさらに含む
請求項１に記載の装置。
【請求項１７】
無線通信システムにおける装置であって、前記装置は、処理回路を含み、前記処理回路は、さらに、
基地局から通知されたサウンディング参照信号ＳＲＳマッピング構造に基づいて、相応する時間周波数リソース上で前記基地局にＳＲＳを送信するようにユーザー機器を制御するように配置されており、
前記ＳＲＳマッピング構造は、少なくとも、上りリンクビーム管理およびチャネル状態情報ＣＳＩ取得を同時に実現するためのＳＲＳリソース設置を含む装置。
【請求項１８】
前記処理回路は、さらに、送信ビームスキャンおよび受信ビームスキャンを同時に行うＵ１プロセスと、送信ビームスキャンのみを行うＵ３プロセスについて、それぞれ異なるスキャン待ちの送信ビームで前記基地局にＳＲＳを順次に送信するように前記ユーザー機器を制御し、
受信ビームスキャンのみを行うＵ２プロセスについて、同一の送信ビームで前記基地局にＳＲＳを順次に送信するように前記ユーザー機器を制御し、
前記基地局から通知された、前記ＳＲＳマッピング構造によって占有されるＯＦＤＭシンボルと物理ランダムアクセスチャネルＰＲＡＣＨ、物理上りリンク制御チャネルＰＵＣＣＨ、復調参照信号ＤＭＲＳ、物理上りリンク共有チャネルＰＵＳＣＨのうちの少なくとも一つによって占有されるＯＦＤＭシンボルの多重化に関する指示に応じて、多重化により前記基地局にＳＲＳを送信するように前記ユーザー機器を制御し、
前記ユーザー機器のサブバンド帯域幅配置要求を専用シグナリングまたは上りリンクスケジューリング要求シグナリングに含んで、前記基地局に前記ＳＲＳリソース設置における各グループのＳＲＳリソースのサブバンドＳＲＳリソースのサブバンドＳＲＳ帯域幅を確定させるか、または
ＳＲＳリソース配置要求を生成して、前記基地局に前記ＳＲＳリソース配置要求に応じて前記ＳＲＳマッピング構造を配置させるように配置されているか、または
前記装置は、前記ユーザー機器として作動し、且つ、前記装置は、通信操作を実行するように配置されている通信ユニットをさらに含む
請求項１７に記載の装置。
【請求項１９】
前記処理回路は、さらに、前記基地局から前記多重化で伝送されるＳＲＳが破棄された通知を受信した場合に、破棄されたＳＲＳを再伝送するように前記ユーザー機器を制御するか、または
前記基地局から前記多重化で伝送されるＳＲＳが破棄された通知を受信した場合に、パワーブースティング方式により元に破棄されたＳＲＳに割り当てられた伝送パワーを、前記破棄されたＳＲＳと多重化がある他の信号に割り当てる
ように配置されている請求項１８に記載の装置。
【請求項２０】
無線通信システムにおける方法であって、前記方法は、
基地局から通知されたサウンディング参照信号ＳＲＳマッピング構造に基づいて、相応する時間周波数リソース上で基地局にＳＲＳを送信するようにユーザー機器を制御することを含み、
前記ＳＲＳマッピング構造は、少なくとも、上りリンクビーム管理およびチャネル状態情報ＣＳＩ取得を同時に実現するためのＳＲＳリソース設置を含む方法。
【国際調査報告】
2020529775.tif 000019
2020529775.tif 000020
2020529775.tif 000021
2020529775.tif 000022
2020529775.tif 000023
2020529775.tif 000024